(57)【特許請求の範囲】
【請求項１】
表示部に撮像中の動画像を表示させる表示制御部と、
前記動画像の撮像中に、前記表示部に対して操作体が接触又は近接した位置を検出する位置検出部により、当該位置が検出されたときに、前記位置に対応する前記動画像中のオブジェクトを認識するオブジェクト認識部と、
前記位置の検出に応じて、当該位置が検出された時点を含む前記動画像の区間であって、かつ、前記オブジェクト認識部により認識されたオブジェクトが含まれる前記動画像の区間を、インデックス区間として設定する区間設定部と、
を備える、情報処理装置。
【請求項２】
前記位置検出部は、前記動画像の撮像中に前記操作体により指定された前記表示部の表示画面上の位置を検出し、
前記オブジェクト認識部は、前記操作体により指定された前記表示画面上の位置に映っているオブジェクトを認識し、
前記区間設定部は、前記オブジェクト認識部により認識された前記オブジェクトが映っている前記動画像の区間を、前記インデックス区間として設定する、請求項１に記載の情報処理装置。
【請求項３】
前記動画像の撮像中に、前記オブジェクトが含まれる前記動画像の区間が前記インデックス区間として設定されたときに、当該インデックス区間より前に撮像された前記動画像の区間を削除する削除部をさらに備える、請求項１に記載の情報処理装置。
【請求項４】
前記動画像の撮像中に前記操作体により前記表示部の表示画面がなぞられたときに、
前記位置検出部は、前記操作体によるなぞり方を検出し、
前記区間設定部は、前記なぞり方に応じて、前記インデックス区間を設定する、請求項１に記載の情報処理装置。
【請求項５】
前記位置検出部は、前記操作体によるなぞり方向を検出し、
前記区間設定部は、前記なぞり方向に応じて、前記表示画面がなぞられた時点を基準として前記インデックス区間を設定する、請求項４に記載の情報処理装置。
【請求項６】
前記位置検出部は、前記操作体によるなぞり長を検出し、
前記区間設定部は、前記操作体により前記表示画面がなぞられた時点から前記なぞり長に応じて決定される時間だけ前の時点を始点とする前記インデックス区間を設定する、請求項４に記載の情報処理装置。
【請求項７】
前記インデックス区間を表すインデックス情報を、前記動画像に関連づけて記録媒体に記録する記録部を更に備え、
前記表示制御部は、
前記動画像の録画終了指示の直後に、前記動画像の録画確認画面を前記表示部に表示させ、前記インデックス情報に基づいて、前記録画確認画面上に、前記インデックス区間を表す表示オブジェクトを前記動画像の録画時間を表す時間軸に対応付けて表示させ、
前記位置検出部は、前記録画確認画面上に表示された前記インデックス区間を表す表示オブジェクトに対するユーザ操作を検出し、
前記区間設定部は、当該ユーザ操作に応じて、前記インデックス区間を修正する、請求項１に記載の情報処理装置。
【請求項８】
前記録画確認画面上に表示されたアイコンに対するユーザ操作に応じて、前記動画像のうち前記インデックス区間以外の区間を削除する削除部をさらに備える、請求項７に記載の情報処理装置。
【請求項９】
前記表示制御部は、前記動画像の撮像中に前記表示部に表示されるライブビュー画面上に、前記インデックス区間を表す表示オブジェクトを前記動画像の録画時間を表す時間軸に対応付けて表示させる、請求項１に記載の情報処理装置。
【請求項１０】
動画像の撮像中に、撮像中の前記動画像を表示する表示部に対して操作体が接触又は近接した位置を検出する位置検出部により、当該位置が検出されたときに、前記位置に対応する前記動画像中のオブジェクトを認識することと、
前記位置の検出に応じて、当該位置が検出された時点を含む前記動画像の区間であって、かつ、前記認識されたオブジェクトが含まれる前記動画像の区間を、インデックス区間として設定することと、
を含む、情報処理方法。
【請求項１１】
撮像中の動画像を表示する表示部と、
前記動画像の撮像中に、前記表示部に対して操作体が接触又は近接した位置を検出する位置検出部と、
前記位置検出部により前記位置が検出されたときに、前記位置に対応する前記動画像中のオブジェクトを認識するオブジェクト認識部と、
前記位置の検出に応じて、当該位置が検出された時点を含む前記動画像の区間であって、かつ、前記オブジェクト認識部により認識されたオブジェクトが含まれる前記動画像の区間を、インデックス区間として設定する区間設定部と、
を備える、撮像装置。
【請求項１２】
動画像を撮像する撮像部と、
撮像中の前記動画像を表示する表示部と、
前記表示部に前記動画像を表示させる表示制御部と、
前記動画像の撮像中に、前記表示部に対して操作体が接触又は近接した位置を検出する位置検出部と、
前記位置検出部により前記位置が検出されたときに、前記位置に対応する前記動画像中のオブジェクトを認識するオブジェクト認識部と、
前記位置の検出に応じて、当該位置が検出された時点を含む前記動画像の区間であって、かつ、前記オブジェクト認識部により認識されたオブジェクトが含まれる前記動画像の区間を、インデックス区間として設定する区間設定部と、
を備える、情報処理システム。
【発明の詳細な説明】
【技術分野】
【０００１】
本開示は、情報処理装置、情報処理方法、撮像装置、及び情報処理システムに関する。
【背景技術】
【０００２】
デジタルビデオカメラ等の撮像装置により撮像された動画像を編集する場合、パーソナルコンピュータ（以下、ＰＣ）を用いて編集作業を行うことが一般的である。動画像の編集時に、動画像の概略を把握する手法として、フィルムロール表示がある。フィルムロール表示は、録画された動画像から所定の時間間隔で複数のフレーム画像を選択し、当該フレーム画像をサムネイル画像として時系列順に並べて表示する表示方法である（例えば特許文献１、２参照）。
【先行技術文献】
【特許文献】
【０００３】
【特許文献１】特開２００７−１３４７７１号公報
【特許文献２】特開２００８−１６６９８８号公報
【発明の概要】
【発明が解決しようとする課題】
【０００４】
しかし、上記のようなＰＣによる動画像の編集作業は、撮像日から時間が経過した後に行われることが多かった。このため、動画像の必要な部分を切り出して編集するのは時間のかかる作業であり、作業効率が悪かった。具体的に言うと、ユーザは、過去に撮像した動画像の記憶が曖昧であるため、動画像を先頭から再生して必要な部分を確認してから、必要部分の切り出し作業（編集）を行わなければならなかった。例えば、撮像日から長時間経過した後に、ユーザが動画像の要否を判断して、その動画像の不要な部分を削除したい場合を考える。この場合、ユーザは、その動画像を先頭から再生して、時間をかけて動画像の内容を確認した上で、削除する部分を判断する必要があった。特に動画像の録画時間が長い場合には、かかる編集作業は非常に非効率かつ煩雑であった。
【０００５】
また、動画再生の視点からも同様のことがいえる。例えば、動画像の録画時間が長く、その動画像の一部分のみが見るに値するものである場合、撮像日から時間が経過していると、ユーザは、動画像のどの区間が優先して見るべき部分であるか分からず、動画像を先頭から再生しなければならなかった。たとえ上記フィルムロール表示を利用したとしても、いずれのサムネイル画像もユーザの見たいシーンではない場合には、動画像を再生して時間をかけて内容を確認せざるを得なかった。このように動画再生時にも、ユーザが動画像の見たい区間を探す作業は非効率的であった。
【０００６】
これに対し、動画像の撮像中に、盛り上がったシーンなどで動画像に対してインデックスを付加しておけば、その後に動画像を編集／再生するときに便利である。しかし、撮像中に動画像の任意の一時点に対してのみインデックスを付加しておいたとしても、そのインデックスの前後のどの範囲が必要な部分であるか分からない。このため結局は、ユーザは、インデックスが付加された時点の前後の動画像を見てから、必要な区間を判断しなければならなかった。また、動画像のある１時点ではなく区間に対してインデックスを付加するためには、複数回の操作を必要とするなど、ユーザに煩雑な操作を強いることになっていた。
【０００７】
上記事情に鑑みれば、動画像の撮像中に簡単な操作で、動画像の一時点ではなく、動画像の一部の区間に対してインデックスを付加できるようにすることが望ましい。
【課題を解決するための手段】
【０００８】
本開示によれば、
表示部に動画像を表示させる表示制御部と、
前記表示部に対して操作体が接触又は近接した位置を検出する位置検出部により、当該位置が検出されたときに、前記位置に対応する前記動画像中のオブジェクトを認識するオブジェクト認識部と、
前記位置の検出に応じて、当該位置が検出された時点を含む前記動画像の区間であって、かつ、前記オブジェクト認識部により認識されたオブジェクトが含まれる前記動画像の区間を、インデックス区間として設定する区間設定部と、
を備える、情報処理装置が提供される。
【０００９】
また、本開示によれば、
動画像を表示する表示部に対して操作体が接触又は近接した位置を検出する位置検出部により、当該位置が検出されたときに、前記位置に対応する前記動画像中のオブジェクトを認識することと、
前記位置の検出に応じて、当該位置が検出された時点を含む前記動画像の区間であって、かつ、前記認識されたオブジェクトが含まれる前記動画像の区間を、インデックス区間として設定することと、
を含む、情報処理方法が提供される。
【００１０】
また、本開示によれば、
撮像中の動画像を表示する表示部と、
前記動画像の撮像中に、前記表示部に対して操作体が接触又は近接した位置を検出する位置検出部と、
前記位置検出部により前記位置が検出されたときに、前記位置に対応する前記動画像中のオブジェクトを認識するオブジェクト認識部と、
前記位置の検出に応じて、当該位置が検出された時点を含む前記動画像の区間であって、かつ、前記オブジェクト認識部により認識されたオブジェクトが含まれる前記動画像の区間を、インデックス区間として設定する区間設定部と、
を備える、撮像装置が提供される。
【００１１】
また、本開示によれば、
動画像を撮像する撮像部と、
前記動画像を表示する表示部と、
前記表示部に前記動画像を表示させる表示制御部と、
前記表示部に対して操作体が接触又は近接した位置を検出する位置検出部と、
前記位置検出部により前記位置が検出されたときに、前記位置に対応する前記動画像中のオブジェクトを認識するオブジェクト認識部と、
前記位置の検出に応じて、当該位置が検出された時点を含む前記動画像の区間であって、かつ、前記オブジェクト認識部により認識されたオブジェクトが含まれる前記動画像の区間を、インデックス区間として設定する区間設定部と、
を備える、情報処理システムが提供される。
【００１２】
本開示によれば、動画像を表示する表示部に対して操作体が接触又は近接した位置を検出する位置検出部により、当該位置が検出されたときに、前記位置に対応する前記動画像中のオブジェクトが認識され、前記位置の検出に応じて、当該位置が検出された時点を含む前記動画像の区間であって、かつ、前記認識されたオブジェクトが含まれる前記動画像の区間が、インデックス区間として設定される。これにより、位置検出部に対する１回のユーザ操作によって、操作体により指定された表示部の位置が検出された時点を基準として、対象のオブジェクトが映っている動画像のインデックス区間を設定できる。
【発明の効果】
【００１３】
以上説明したように本開示によれば、動画像の撮像中に簡単な操作で、動画像の一時点ではなく、動画像の一部の区間に対してインデックスを付加することができる。
【図面の簡単な説明】
【００１４】
【図１】本開示の第１の実施形態に係る撮像装置の正面側の外観構成を示す斜視図である。
【図２】同実施形態に係る撮像装置の背面側の外観構成を示す斜視図である。
【図３】同実施形態に係る撮像装置のハードウェア構成を示すブロック図である。
【図４】同実施形態に係る撮像装置の機能構成を示すブロック図である。
【図５】同実施形態に係るライブビュー画面の表示例を示す図である。
【図６Ａ】同実施形態に係るインデックス区間の設定方法を示す概念図である。
【図６Ｂ】同実施形態に係るインデックス区間の設定方法を示す概念図である。
【図６Ｃ】同実施形態に係るインデックス区間の設定方法を示す概念図である。
【図７】同実施形態に係る録画確認画面の表示例を示す図である。
【図８】同実施形態に係る録画確認画面におけるインデックス区間の修正例を示す図である。
【図９】同実施形態に係るインデックス区間の修正の変更例を示す図である。
【図１０】同実施形態に係るインデックス区間の修正の変更例を示す図である。
【図１１Ａ】同実施形態に係る撮像装置による撮像時及び録画終了時の処理方法を示すフローチャートである。
【図１１Ｂ】同実施形態に係る撮像装置による撮像時及び録画終了時の処理方法を示すフローチャートである。
【図１２】本開示の第２の実施形態に係るライブビュー画面の表示例を示す図である。
【図１３】同実施形態に係るライブビュー画面の表示例を示す図である。
【図１４】同実施形態に係るライブビュー画面の表示例を示す図である。
【図１５】本開示の第３の実施形態に係るライブビュー画面の表示例を示す図である。
【図１６】同実施形態に係るライブビュー画面の表示例を示す図である。
【図１７】同実施形態に係る録画確認画面の表示例を示す図である。
【図１８】同実施形態に係るライブビュー画面の表示例を示す図である。
【図１９】同実施形態に係るなぞり長と付加区間の時間長との関係を示す図である。
【発明を実施するための形態】
【００１５】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１６】
なお、説明は以下の順序で行うものとする。
１．第１の実施の形態（インデックス指示に応じたインデックス区間の設定）
２．第２の実施の形態（オブジェクト認識を利用したインデックス区間の設定）
３．第３の実施の形態（ユーザのジャスチャーに応じたインデックス区間の設定）
４．まとめ
【００１７】
＜１．第１の実施形態＞
［撮像装置の構成］
まず、図１〜図３を参照して、本開示の第１の実施形態に係る撮像装置の構成について説明する。図１、図２は、本実施形態に係る撮像装置１０の正面側と背面側の外観構成を示す斜視図であり、図３は、本実施形態に係る撮像装置１０のハードウェア構成を示すブロック図である。
【００１８】
図１、図２に示すように、本実施形態に係る撮像装置１０は、例えばデジタルビデオカメラで構成されており、動画を撮像及び記録する機能を有する。しかし、本開示の撮像装置は、ビデオカメラの例に限定されず、被写体を連続的に撮像した動画像を記録可能な任意の電子機器であれば、例えば、動画撮像機能を有するデジタルスチルカメラ、携帯電話、ＰＤＡ（Ｐｅｒｓｏｎａｌ  Ｄｉｇｉｔａｌ  Ａｓｓｉｓｔａｎｔ）、携帯型の映像／音楽プレーヤー、ゲーム機などにも適用できる。
【００１９】
撮像装置１０の外装を構成するケース１２は、左右方向の幅よりも大きな寸法の前後方向の長さ及び上下方向の高さを有している。なお、本明細書において左右は、撮像装置１０を後方から見た状態でいうものとし、また、撮像光学系の光軸方向で被写体側を前方といい、撮像素子側を後方という。
【００２０】
ケース１２の上部の前部には、撮像光学系１４が組み込まれたレンズ鏡筒１６が前後に延設され、レンズ鏡筒１６の前部がケース１２の前面に臨むように設けられている。レンズ鏡筒１６の後端には撮像光学系１４によって導かれた被写体像を撮像する撮像素子１８（図３参照）が設けられている。
【００２１】
図１に示すように、ケース１２の左側部には、表示パネル２０が開閉可能に設けられ、この表示パネル２０は閉じられた際に収容凹部１２０２に収容される。表示パネル２０は、撮像素子１８によって撮像された画像などを表示するための表示部の一例であり、例えば、液晶表示装置（ＬＣＤ：Ｌｉｑｕｉｄ  Ｃｒｙｓｔａｌ  Ｄｉｓｐｌａｙ）、有機ＥＬ表示装置（Ｏｒｇａｎｉｃ  Ｅｌｅｃｔｒｏ  Ｌｕｍｉｎｅｓｃｅｎｃｅ  Ｄｉｓｐｌａｙ）などで構成される。なお、収容凹部１２０２の底壁には、再生された音声データを出力するためのスピーカ２２（図３参照）が設けられている。
【００２２】
図２に示すように、ケース１２の右側面には、前後方向に延在するグリップベルト２６が設けられている。さらに、ケース１２の右側部には、画像データや音声データを記録するディスク状記録媒体２（図３参照）を装脱可能に収容する収容部２４が設けられ、収容部２４は開閉蓋２４０２により開閉される。ディスク状記録媒体２は、例えば、ブルーレイディスク（Ｂｌｕ−ｒａｙ  Ｄｉｓｃ（登録商標））、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）等の光ディスクである。なお、撮像された画像を記録するための記録媒体は、上記光ディスク以外にも、例えば、光磁気ディスク、メモリカード４（図３参照）等の半導体メモリといった任意のリムーバブルメディアであってもよいし、或いは、撮像装置１０に内蔵されたハードディスク等の内蔵型記録媒体であってもよい。
【００２３】
また、ケース１２の上面前部には、音声を収音するためのマイクロフォン２８が設けられている。ケース１２の上面後部には、小型の表示装置２９０２（図３参照）が組み込まれた電子式ビューファインダー装置２９が設けられている。また、ケース１２の背面下部側には、バッテリ２５が着脱可能に装着される。
【００２４】
さらに図１及び図２に示すように、撮像装置１０には、撮像に関する種々の機能の実行を指示するための操作部として、例えば、電源スイッチ３０Ａ、静止画撮像用ボタン３０Ｂ、ズーム用スイッチ３０Ｃ、モード切換用スイッチ３０Ｄ、動画撮像用ボタン３０Ｅ、インデックス用ボタン３０Ｆなどが設けられている。動画撮像用ボタン３０Ｅは、ユーザが撮像装置１０に対して、撮像された動画の録画開始／録画終了を指示するための操作具であり、録画開始ボタン及び録画終了ボタンとして兼用される。ユーザが、撮像したい被写体の構図を決めて動画撮像用ボタン３０Ｅを押下すると、撮像装置１０は録画動作を開始し、ユーザがもう一度動画撮像用ボタン３０Ｅを押下すると、撮像装置１０は録画動作を終了する。なお、録画動作とは、上記撮像素子１８によって連続的に撮像された画像（複数のフレームからなる動画像）のデータを、記録媒体に記録する動作である。
【００２５】
次に、図３を参照して撮像装置１０の内部構成について詳述する。図３に示すように、撮像装置１０は、上述したケース１２、撮像光学系１４、レンズ鏡筒１６、撮像素子１８、表示パネル２０、スピーカ２２、マイクロフォン２８、各種の操作部３０Ａ〜Ｆを備える。さらに、撮像装置１０は、タッチパネル４０、映像信号用増幅回路１００、画像データ処理部１０２、マイクロフォン用増幅回路１０４、音声データ処理回路１０５、出力用増幅回路１０６、記録再生回路１０８、コントロール回路１１０、記録再生機構１１２、ドライブ回路１１４、インターフェース回路１１６、メモリカード用スロット１１８、ズーム駆動部１２０、測位部１２２などを備える。
【００２６】
撮像光学系１４、レンズ鏡筒１６、撮像素子１８及びズーム駆動部１２０等は、被写体を撮像して撮像信号を出力する撮像部２００（図４参照）として機能する。撮像光学系１４は、フォーカスレンズ、ズームレンズ等の各種レンズや、不要な波長を除去する光学フィルタ、絞り等の光学部品からなる。被写体から入射された光は、撮像光学系１４における各光学部品を介して撮像素子１８に導かれる。撮像素子１８は、例えば、ＣＣＤ（Ｃｈａｒｇｅ  Ｃｏｕｐｌｅｄ  Ｄｅｖｉｃｅ）又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの固体撮像素子で構成される。この撮像素子１８は撮像光学系１４を介して導かれた光を光電変換し、撮像された被写体像を表す撮像信号（アナログ映像信号）を出力する。
【００２７】
映像信号用増幅回路１００及び画像データ処理部１０２は、撮像部により生成された撮像信号を信号処理して画像データを生成する画像処理部２１０（図４参照）として機能する。上記撮像素子１８で生成された撮像信号は映像信号用増幅回路１００で増幅され、画像データ処理部１０２に供給される。画像データ処理部１０２は、この撮像信号に所定の信号処理を行うことで、画像データ（動画データ又は静止画データ）を生成し、記録再生回路１０８に供給する。所定の信号処理は、例えば、ＣＤＳ（Ｃｏｒｒｅｌａｔｅｄ  Ｄｏｕｂｌｅ  Ｓａｍｐｌｉｎｇ：相関２重サンプリング）処理、プログラマブルゲインアンプ（ＰＧＡ）によるゲイン処理などのアナログ信号処理や、Ａ／Ｄ変換処理、ガンマ補正処理、ホワイトバランス処理等のデジタル信号処理などである。
【００２８】
また、マイクロフォン２８で収音された音声信号はマイクロフォン用増幅回路１０４で増幅され、音声データ処理回路１０５によって所定の信号処理がなされ音声データとして記録再生回路１０８に供給される。
【００２９】
記録再生回路１０８及び記録再生機構１１２は、画像データ、音声データ等の各種のデータを記録媒体に記録するとともに、記録媒体に記録された各種のデータを再生する記録再生部２２０（図４参照）として機能する。記録再生回路１０８は、コントロール回路１１０からの指示に基づいて、記録再生機構１１２を制御して、ディスク状記録媒体２に対してデータを記録／再生する。
【００３０】
例えば、記録再生回路１０８は、コントロール回路１１０の制御に従って、画像データ処理部１０２から供給された画像データ（動画データ又は静止画データ）や、音声データ処理回路１０５から供給された音声データを、記録再生機構１１２に供給する。記録再生機構１１２は、動画データ、静止画データや、音声データをディスク状記録媒体２に記録する。
【００３１】
また、記録再生回路１０８は、画像データ処理部１０２から供給された動画データ／静止画データや、音声データ処理回路１０５から供給された音声データを、インターフェース回路１１６を介して、メモリカード用スロット１１８に装着されたメモリカード４に記録する。
【００３２】
また、記録再生回路１０８は、コントロール回路１１０の制御に従って、画像データ処理部１０２から供給された動画データ／静止画データを、ドライブ回路１１４を介して表示パネル２０、２９０２に供給して、画像を表示させる。
【００３３】
また、記録再生回路１０８は、インターフェース回路１１６を介してメモリカード４から供給される動画データ／静止画データを、ドライブ回路１１４を介して表示パネル２０、２９０２に供給して、画像を表示させるとともに、インターフェース回路１１６を介してメモリカード４から供給される音声データを、出力用増幅回路１０６を介してスピーカ２２に供給して、音声を出力させる。
【００３４】
また、記録再生回路１０８は、記録再生機構１１２によりディスク状記録媒体２から再生された動画データ／静止画データを、ドライブ回路１１４を介して表示パネル２０、２９０２に供給して、画像を表示させるとともに、記録再生機構１１２によりディスク状記録媒体２から再生された音声データを、出力用増幅回路１０６を介してスピーカ２２に供給して、音声を出力させる。
【００３５】
表示パネル２０、２９０２は、上記のように供給された各種の画像データ（動画像、静止画）を表示する表示部として機能する。例えば、表示パネル２０、２９０２は、記録再生回路１０８から撮像中にリアルタイムで入力される動画像（ライブビュー画像）を表示する。これにより、ユーザは、撮像装置１０で撮像中の動画像を見ながら、撮像操作（例えば、ズーム操作や、録画開始指示、録画終了指示、インデックス指示の入力操作など）を行い、所望の被写体を所望の構図で撮像できる。また、記録媒体２、４に記録されている動画像を記録再生回路１０８により再生したときに、表示装置１３０は、記録再生回路１０８から入力された再生画像を表示する。これにより、ユーザは、記録媒体２、４に記録されている動画像の内容を確認することができる。
【００３６】
タッチパネル４０は、表示パネル２０の表示画面に対して操作体が接触又は近接した位置を検出する位置検出部として機能する。タッチパネル４０は、表示パネル２０に重ねて配設されており、操作体が接触又は近接した表示画面上の位置を検知するセンサを具備する。これにより、タッチパネル４０は、操作体により指定された表示画面上の位置や、操作体の移動軌跡や移動速度を検出することができる。タッチパネル４０の操作に用いられる操作体は、例えば、ユーザの指やスタイラス、タッチペン等である。タッチパネル４０は、操作体が接触又は近接した表示画面上の位置を座標として検出し、タッチパネル４０により検出された座標は、コントロール回路１１０に伝送されて、所定の処理が実行される。
【００３７】
タッチパネルとしては、例えば、感圧式、静電気式、光学式など、任意の方式のタッチパネルを使用できる。感圧式タッチパネルは、操作体によりパネルを押圧したときの圧力の変化を検知する。静電気式タッチパネルは、パネルに対する操作体の接触に伴う静電気による電気信号を検知する。光学式タッチパネルは、表示パネルの外枠に設けられた光学センサにより、パネルに接触した操作体の位置や移動方向を検知する方式が一般的である。また、他の方式の光学式センサとして、インセル型の光学式タッチパネルも存在する。インセル型の光学式タッチパネルでは、表示パネルに光学式センサアレイが搭載されており、この光学式センサアレイにより表示パネルに接触又は近接した操作体の位置や移動軌跡を検知する。
【００３８】
また、タッチパネル４０としては、操作体の接触を検知する接触式のタッチパネル（例えば、上記感圧式、静電気式のタッチパネル）が一般的である。ユーザは、指やスタイラス等でタッチパネル４０の面上を押圧（即ち、タップ）したり、当該押圧した指やスタイラス等を移動させたりすることで、撮像装置１０に対して各種の操作を行うことができる。
【００３９】
なお、操作体がタッチパネルに直接接触しなくても、タッチパネルに近接している操作体を認識可能な非接触式のタッチパネルも存在する。この非接触式のタッチパネルは、例えば、上記光学式タッチパネルで実現できる。以下では、説明の便宜上、操作体（例えば指）が接触した位置を検出する接触式のタッチパネル４０の例を挙げて説明するが、本開示の位置検出部は、非接触式のタッチパネルや、その他の画面位置検出デバイスで構成することも可能である。
【００４０】
コントロール回路１１０は、撮像装置１０の各部を制御する制御部２３０（図４参照）として機能する。コントロール回路１１０は、例えば、不図示のＣＰＵ（Ｃｅｎｔｒａｌ  Ｐｒｏｃｅｓｓｉｎｇ  Ｕｎｉｔ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などから構成される。コントロール回路１１０におけるＲＯＭには、コントロール回路１１０の各種の制御処理を実行させるためのプログラムが格納されている。ＣＰＵは、該プログラムに基づいて動作して、ＲＡＭを用いながら、上記各制御のための必要な演算・制御処理を実行する。当該プログラムは、撮像装置１０に内蔵された記憶装置（例えばＲＯＭ）に予め格納しておくことができる。また、当該プログラムは、リムーバブル記録媒体に格納されて、撮像装置１０に提供されてもよいし、ＬＡＮ、インターネット等のネットワークを介して撮像装置１０にダウンロードされてもよい。
【００４１】
コントロール回路１１０の制御について以下に例示する。コントロール回路１１０は、電源スイッチ３０Ａに対するユーザ操作に基づいて撮像装置１０の電源のオン、オフを行う。
【００４２】
また、コントロール回路１１０は、静止画撮像用ボタン３０Ｂに対するユーザ操作に基づいて画像データ処理部１０２及び記録再生回路１０８に指令を与えることにより、画像データ処理部１０２から供給される静止画データを、記録再生回路１０８を介して記録再生機構１１２に供給することで、静止画データをディスク状記録媒体２に記録させる。このように、静止画撮像用ボタン３０Ｂは、静止画を撮像及び記録するためのいわゆるシャッタボタンとして機能する。
【００４３】
また、コントロール回路１１０は、ズーム用スイッチ３０Ｃに対するユーザ操作に基づいてズーム駆動部１２０に指令を与えることにより、撮像光学系１４の可動レンズ（図示せず。）を移動させて、撮像光学系１４のズーム率を変化させる。
【００４４】
また、コントロール回路１１０は、モード切換用スイッチ３０Ｄの操作に基づいて画像データ処理部１０２に指令を与えることにより、画像データ処理部１０２により動画データを生成する動画撮像モードと、画像データ処理部１０２により静止画データを生成する静止画撮像モードとを切り換える。なお、動画撮像モードでは、画像データ処理部１０２で生成された動画データが記録再生回路１０８を介してディスク状記録媒体２またはメモリカード４に記録され、静止画撮像モードでは、画像データ処理部１０２で生成された静止画データが記録再生回路１０８を介してディスク状記録媒体２またはメモリカード４に記録される。なお、コントロール回路１１０は、上記２つの撮像モード以外にも、記録された画像を再生するための再生モードに切り替えることもできる。
【００４５】
また、コントロール回路１１０は、動画撮像用ボタン３０Ｅに対する第１のユーザ操作に基づいて、撮像装置１０による動画データの記録を開始／停止させる。すなわち、コントロール回路１１０は、動画撮像用ボタン３０Ｅに対するユーザ操作（録画開始指示）に基づいて、画像データ処理部１０２及び記録再生回路１０８に指令を与えることにより、画像データ処理部１０２から供給される動画データを、記録再生回路１０８を介して記録再生機構１１２に供給することで、動画データをディスク状記録媒体２に記録させる動作を開始（録画開始）させる。さらに、コントロール回路１１０は、動画撮像用ボタン３０Ｅに対する第２のユーザ操作（録画終了指示）に基づいて、上記記録動作を停止（録画終了）させる。このように、動画撮像用ボタン３０Ｅは、ユーザが撮像装置１０に対して動画像の録画開始／終了を指示するための操作部材（録画開始／終了用操作部）として機能する。なお、本実施形態に係る撮像装置１０では、録画開始用操作部と録画終了用操作部を同一の操作部材（動画撮像用ボタン３０Ｅ）で構成しているが、両者を別の操作部材で構成してもよい。
【００４６】
また、コントロール回路１１０は、録画開始指示から録画終了指示までの録画期間中に、インデックス用ボタン３０Ｆに対するユーザ操作（インデックス指示）に基づいて、動画像のインデックス区間を設定する。そして、コントロール回路１１０は、設定したインデックス区間を表すインデックス情報を生成し、そのインデックス情報を当該動画データに関連づけて記録する。インデックス用ボタン３０Ｆは、ユーザによるインデックス指示を入力するための操作部材（インデックス用操作部）として機能する。
【００４７】
インデックス情報は、動画像の撮像及び記録中（録画期間中）にユーザにより指定された任意の時点を含む所定期間を示す時間情報である。例えば、動画撮像中に、ユーザは、撮像中に盛り上がったシーン（例えば、野球のホームランのシーン）や好みのシーン（例えば、子供の笑顔のシーン）で、インデックス用ボタン３０Ｆを押下して、インデックス指示を入力する。撮像装置１０は、インデックス指示の入力時点を含む所定期間に撮像された動画像の一部の区間をインデックス区間に設定し、そのインデックス情報を記録する。なお、インデックス用操作部は、インデックス用ボタン３０Ｆのような専用の物理的な操作具で構成されてもよいし、表示パネル２０の表示画面上に表示されるＧＵＩ（Ｇｒａｐｈｉｃａｌ  Ｕｓｅｒ  Ｉｎｔｅｒｆａｃｅ）部品で構成されてもよい。
【００４８】
測位部１２２は、撮像装置１０の現在位置を測定して、動画像の撮像位置を表す撮像位置情報を生成する機能を有する。測位部１２２は、例えば、ＧＰＳ（Ｇｌｏｂａｌ  Ｐｏｓｉｔｉｏｎｉｎｇ  Ｓｙｓｔｅｍ）センサ、角速度センサ、加速度センサ、磁気センサなどで構成される。測位部１２２は、かかる各種のセンサを用いて、動画像を撮像した時の撮像装置の位置（緯度、経度等）や姿勢などを測定することによって、動画像を撮像したときの撮像位置を表す撮像位置情報を生成する。
【００４９】
例えば、ＧＰＳセンサは、複数のＧＰＳ衛星からの電波を受信して、各ＧＰＳ衛星との距離を割り出すことにより、撮像装置１０の現在位置（緯度、経度）を測定する。角速度センサ、加速度センサは、撮像中に撮像装置１０が移動したときの角速度、加速度をそれぞれ検出する。磁気センサは、当該撮像装置１０の周囲の磁場を検出することで、撮像装置１０の向きを検出する。測位部１２２は、このように検出した撮像装置１０の現在位置、角速度、加速度、地磁気の変動などの測定データを解析することによって、動画像を撮像したときの撮像装置１０の位置（即ち、撮像位置）を求め、当該撮像位置を表す撮像位置情報を生成する。
【００５０】
コントロール回路１１０は、記録再生回路１０５等を制御することにより、上記測位部１２２により生成された撮像位置情報を、その撮像位置で撮像された動画像のフレームに関連づけて記録媒体に記録する。例えば、測位部１２２は、動画像の撮像中（録画期間中）に所定の時間間隔（例えば数秒ごと、数分ごと）で撮像位置を測定し、当該撮像位置を表す撮像位置情報を生成する。当該撮像位置情報は、例えば、動画像のフレーム位置情報に関連づけられて、メモリ等の記録媒体に保存される。フレーム位置情報は、動画像を構成する各フレームの位置を表す情報であり、例えば、撮像時刻、タイムコード、動画像の先頭フレームからのフレーム数、又は、動画像の先頭からの時間などである。
【００５１】
また、コントロール回路１１０は、上記記録再生機構１１２、記録再生回路１０８、ドライブ回路１１４等を制御することにより、録画期間に撮像された動画像から複数のサムネイル画像を生成する。コントロール回路１１０は、動画撮像直後（即ち、録画終了指示の直後）に、上述したインデックス区間を表す表示オブジェクトやサムネイル画像等を含む録画確認画面を表示パネル２０に表示させる。この録画確認画面は、動画像の録画終了直後に、録画された動画像に設定されたインデックス区間を確認するためのオートレビュー画面（Ｒｅｃ＿Ｒｅｖｉｅｗ画面）であるが、その詳細説明は後述する。
【００５２】
［撮像装置の機能構成］
次に、図４を参照して、本実施形態に係る撮像装置１０の機能構成について説明する。図４は、本実施形態に係る撮像装置１０の機能構成を示すブロック図である。
【００５３】
図４に示すように、撮像装置１０は、撮像部２００と、画像処理部２１０と、記録再生部２２０と、制御部２３０と、表示パネル２０と、各種の操作部３０Ａ〜３０Ｆと、別の操作部であるタッチパネル４０と、測位部１２２とを備える。制御部２３０は、撮像制御部２３２と、表示制御部２３４と、インデックス設定部２３６と、メモリ２３８と、オブジェクト認識部２４０と、機能制御部２４２とを備える。以下、撮像装置１０の各機能部について説明する。
【００５４】
撮像部２００は、例えば図３に示した撮像光学系１４、レンズ鏡筒１６、撮像素子１８と、ズーム駆動部１２０等の駆動回路からなる。撮像部２００は、撮像制御部２３２による制御に従って、撮像素子１８により被写体の光学像を撮像し、当該撮像により得られた画像を表す撮像信号を出力する。
【００５５】
画像処理部２１０は、例えば図３に示した映像信号用増幅回路１００及び画像データ処理部１０２等からなる。画像処理部２１０は、撮像制御部２３２による制御に従って、撮像信号に対して所定の信号処理を施すことにより、複数枚の画像データからなる動画像を生成する。動画像は、所定の時間間隔（例えば１／６０秒）で連続的に生成される動画フレームからなる。
【００５６】
記録再生部２２０は、例えば図３に示した記録再生回路１０８及び記録再生機構１１２からなり、ディスク状記録媒体２に対して各種データを記録したり、ディスク状記録媒体２から各種データを再生したりする。例えば、記録再生部２２０は、撮像制御部２３２による制御に従って、画像処理部２１０から入力された動画像をディスク状記録媒体２に記録し、また、ディスク状記録媒体２に記録された動画像を再生する。さらに、記録再生部２２０は、表示制御部２３４により動画像から生成されたサムネイル画像をディスク状記録媒体２に記録し、また、ディスク状記録媒体２に記録されたサムネイル画像を再生する。
【００５７】
制御部２３０は、例えば図３に示したコントロール回路１１０からなり、撮像装置１０の各部を制御する。コントロール回路１１０のプロセッサが、以下に説明する各機能を実現するためのコンピュータプログラムを実行することにより、図４に示す各機能部が実現される。
【００５８】
撮像制御部２３２は、撮像装置１０の撮像動作を制御する。即ち、撮像制御部２３２は、各種操作部３０Ａ〜３０Ｅに対するユーザ操作に応じて、上記のように撮像部２００、画像処理部２１０、記録再生部２２０を制御して、動画又は静止画の撮像処理や、記録／再生処理を実行させる。例えば、ユーザが動画撮像用ボタン３０Ｅを押下して、録画開始指示を入力すると、撮像制御部２３２は、記録再生部２２０を制御して、撮像部２００及び画像処理部２１０により生成された動画像を、ディスク状記録媒体２に記録開始する（録画開始動作）。一方、ユーザが動画撮像用ボタン３０Ｅをもう一度押下して、録画終了指示を入力すると、撮像制御部２３２は、記録再生部２２０を制御して、当該動画像の記録を終了する（録画終了動作）。
【００５９】
なお、撮像制御部２３２は、モード切換用スイッチ３０Ｄに対するユーザ操作に基づいて、撮像装置１０の動作モードを、動画撮像モード、静止画撮像モード又は再生モード等に切り替えることができる。動画撮像モード及び静止画撮像モードでは、撮像部２００による撮像処理と、画像処理部２１０による画像処理は継続的に行われており、これらの処理により得られた撮像中の動画像（以下、撮像画像ともいう。）は、表示パネル２０にライブビュー画面として表示される。ユーザは、この撮像画像のライブビュー画面を見ながら、被写体の構図やシャッターチャンスを判断して、動画又は静止画の記録指示を撮像装置１０に入力する。動画撮像モードでは、上記動画撮像用ボタン３０Ｅによる録画開始指示から録画終了指示までの録画期間に撮像及び画像処理された動画像のデータが、ディスク状記録媒体２に記録される。静止画撮像モードでは、ユーザが静止画撮像用ボタン３０Ｂ（いわゆるシャッタボタン）を押下したレリーズ指示に応じて、当該レリーズ指示のタイミングで撮像及び画像処理された静止画のデータがディスク状記録媒体２に記録される。
【００６０】
表示制御部２３４は、表示パネル２０を制御して、各種の画像やデータを表示させる。例えば、表示制御部２３４は、動画像の撮像中に、撮像画像のライブビュー画面を表示パネル２０にリアルタイムで表示させる。ライブビュー画面は、上記撮像部２００による撮像処理と、画像処理部２１０による画像処理とにより得られる撮像画像を表す画面である。ユーザは、表示パネル２０にリアルタイムでライブビュー画面を見ることで、被写体の構図を決めたり、録画開始／終了のタイミングや、インデックスを付加するタイミングなどを判断したりできる。
【００６１】
また、表示制御部２３４は、動画像の録画終了直後に、当該動画像の録画確認画面を、表示パネル２０に自動的に表示させる。録画確認画面は、動画像の録画終了直後（つまり、録画終了指示が入力された直後）に、撮像装置１０の表示パネル２０に自動的に表示されるオートレビュー画面である。この録画確認画面は、録画された動画像を再生した画像や
当該動画像のサムネイル画像等を含む。サムネイル画像は、録画期間に録画された動画像から抽出された静止画像である。かかる録画確認画面は、録画された動画像の概要を録画直後にユーザに提示するためのオートレビュー機能と、録画直後に当該動画像に対して所定機能（再生、削除、レーティング等）を実行するため画像操作機能とを兼ね備えている。このような録画確認画面を表示することで、ユーザは、動画像の録画終了直後に、録画された動画像の内容を確認し、その動画像を編集できる。
【００６２】
インデックス設定部２３６は、動画像の撮像中（録画期間中）に、インデックス用操作部に対する１回のユーザ操作に応じて、当該動画像のインデックス区間を設定する。そして、インデックス設定部２３６は、設定したインデックス区間を表すインデックス情報を生成し、当該インデックス情報を当該動画像に関連づけてメモリ２３８に保存する。インデックス情報は、動画像中の盛り上がったシーンや好みのシーンに付加されるインデックスとして機能する。
【００６３】
上記のように動画像の撮像中（録画期間中）に、ユーザは、盛り上がったシーンや所望のシーンなどで、インデックス用操作部を操作する。このユーザ操作は、例えば、インデックス用ボタン３０Ｆの押下や、表示パネル２０のライブビュー画面上に表示されたＧＵＩ部品（例えば図５のインデックスアイコン３０６）に対するタップなどである。ユーザは、かかる操作により、撮像装置１０に対してインデックス指示を入力できる。すると、インデックス設定部２３６は、ユーザからのインデックス指示の入力に応じて、該インデックス指示の入力時点を含む所定期間を設定し、当該所定期間に撮像された複数のフレームからなる動画像の一部の区間を、インデックス区間として設定する。そして、インデックス設定部２３６は、設定したインデックス区間を表す時間情報（例えば、インデックス区間の始点と終点を表す時刻、タイムコード、又は、動画像の先頭からの時間若しくはフレーム数など）を含むインデックス情報を生成する。さらに、インデックス設定部２３６は、生成したインデックス情報を、当該動画像に関連づけてメモリ２３８等の記録媒体に保存する。
【００６４】
このようにインデックス設定部２３６は、動画像の撮像中に、インデックス操作部に対する１回のユーザ操作に応じて、動画像の１時点ではなく、動画像の所定区間からなるインデックス区間を設定し、そのインデックス区間を表すインデックス情報を保存する。これにより、ユーザの指定した任意の時点を基準として、ユーザ指定された時点に対応する動画像の区間にインデックス（しおり）を付加できる。従って、撮像中の動画像に対して、盛り上がったシーンや好みのシーンを特定するためのインデックスを付加することができるので、撮像中にユーザが指定したシーンを特別なシーンとして識別可能にしておくことができる。このように動画像の撮像時に生成されるインデックス情報は、事後的に動画像を再生したり編集したりするときのインデックスとして有用である。
【００６５】
また、インデックス設定部２３６は、タッチパネル４０により検出された表示画面に対するユーザ操作に応じて、設定するインデックス区間の時間長又は位置等を変更することもできる。例えば、動画像の撮像中にユーザが指で表示パネル２０の表示画面をなぞったときに、タッチパネル４０は、そのなぞり方（例えば、なぞり長又はなぞり向き）を検出する。すると、インデックス設定部２３６は、タッチパネル４０により検出されたなぞり方に応じて、インデックス区間を設定する。なお、なぞり方向は、操作体により表示画面がなぞられた方向であり、なぞり長は、操作体により表示画面がなぞられた長さである。
【００６６】
具体的には、インデックス設定部２３６は、操作体によるなぞり方向に応じて、インデックス区間を設定する。例えば、操作体により表示画面が第１方向（例えば右方向、上方向など）になぞられた時には、インデックス設定部２３６は、なぞった時点以降の所定期間に撮像されたフレームの区間を、インデックス区間として設定する。逆に、操作体により表示画面が第２方向（例えば、左方向、下方向）になぞられた時には、インデックス設定部２３６は、なぞった時点以前の所定期間に撮像されたフレームの区間を、インデックス区間として設定する。
【００６７】
また、インデックス設定部２３６は、操作体によるなぞり長に応じて、インデックス区間を設定する。例えば、インデックス設定部２３６は、操作体によるなぞり長に応じて、インデックス区間の時間長を決定する。また、インデックス設定部２３６は、操作体によるなぞり長に対応する時間を決定し、表示画面がなぞられた時点から当該時間だけ前の時点を始点として設定し、その始点以降に撮像された動画像の区間を、インデックス区間として設定する。
【００６８】
上記のように、ユーザは、表示画面をなぞる方向又はなぞる長さによって、所望のインデックス区間の位置や時間長を簡単に指定できる。このように、ユーザによる表示画面のなぞり方に応じて、インデックス区間を設定する方法の詳細については、後述する。
【００６９】
オブジェクト認識部２４０は、撮像中の動画像を解析することにより、当該動画像のライブビュー画面３００上に映っているオブジェクト３４０、即ち、現在撮像中の撮像画像３０２に含まれるオブジェクト３４０を認識する。ここで、オブジェクトは、撮像装置１０により撮像された撮像画像に含まれる任意の被写体であり、例えば、人物、動物、植物、乗り物、建造物など任意の物であってよい。例えば、ユーザが撮像装置１０により犬を撮像した場合、その犬がオブジェクトとなる。オブジェクト認識部２４０によるオブジェクト認識方法としては、公知の任意のオブジェクト認識技術を利用することができる。
【００７０】
オブジェクト認識部２４０は、動画像の撮像中に、ユーザにより指定された表示画面上の位置に映っているオブジェクト３４０を認識する（図１２参照。）。詳細には、動画像の撮像中に、ユーザが操作体を用いてライブビュー画面３００上の任意の位置を指定すると、タッチパネル４０は、操作体により指定されたライブビュー画面３００上の位置を検出する。このようなライブビュー画面３００に対するユーザの指定操作が、インデックス指示に相当する。かかるインデックス指示に応じて、オブジェクト認識部２４０は、当該指定されたライブビュー画面３００上の位置に映っているオブジェクト３４０を認識し、そのオブジェクト３４０が映っている複数のフレームからなる動画像の区間を特定する。インデックス設定部２３６は、かかるオブジェクト認識部２４０により認識されたオブジェクトが映っている複数のフレームからなる動画像の区間を、インデックス区間として設定する。このように、オブジェクト認識を利用して、インデックス区間を設定することで、ユーザは、ライブビュー画面３００上でオブジェクト３４０を指定するという簡単な操作で、所望のオブジェクト３４０が映っている動画像の区間に対して、インデックスを付加できる。
【００７１】
以上、インデックス設定部２３６によるインデックス区間の設定方法について説明した。表示制御部２３４は、上記インデックス設定部２３６により設定されたインデックス区間を表す情報を、表示パネル２０に表示させる。例えば、表示制御部２３４は、動画像の撮像中に、ライブビュー画面３００上に、当該撮像中に設定されたインデックス区間を表す表示オブジェクト３２０を、動画像の録画時間の時間軸に対応付けて表示させる（図５参照。）。さらに、表示制御部２３４は、インデックス区間内の任意のポイント（例えば、インデックス指示の入力時点や、インデックス区間の始点又は終点）で撮像されたサムネイル画像３３０を、ライブビュー画面３００上に表示してもよい。このように、表示制御部２３４は、動画像の撮像中に、ライブビュー画面３００上にインデックス区間を表す表示オブジェクト３２０を表示する。これにより、ユーザは、撮像中に設定されたインデックス区間の時間長や位置をリアルタイムで確認できる。かかる動画像の撮像中のインデックス区間の表示については後述する（図５参照。）。
【００７２】
さらに、動画像の録画終了直後には、表示制御部２３４は、録画確認画面４００を表示パネル２０に表示させる（図７等参照。）。この録画確認画面４００が表示されているときに、表示制御部２３４は、録画確認画面４００上に、動画像の撮像中に設定されたインデックス区間を表す表示オブジェクト４２０を、動画像の録画時間の時間軸に対応付けて表示させる。この表示オブジェクト４２０は、メモリ２３８に保存されたインデックス情報に基づいて、表示される。さらに、表示制御部２３４は、インデックス区間内の任意のポイント（例えば、インデックス指示の入力時点や、インデックス区間始点又は終点）で撮像されたサムネイル画像４３０を、録画確認画面４００上に表示してもよい。このように録画終了後に録画確認画面４００上にインデックス区間を表す表示オブジェクト４２０を表示することにより、ユーザは、撮像時に動画像に付加されたインデックス区間の時間長や位置を、録画後に確認できるとともに、録画確認画面４００上でそのインデックス区間を修正できる。かかる動画像の録画終了後のインデックス区間の表示及び修正については後述する（図８等参照。）。
【００７３】
また、表示制御部２３４は、上記のライブビュー画面３００や、録画確認画面４００にサムネイル画像３３０、４３０を表示する際に、メモリ２３８に保存されたインデックス情報に基づいて、動画像に対して設定された１又は２以上のインデックス区間を代表するサムネイル画像を生成する。このとき、表示制御部２３４は、インデックス情報が表すインデックス区間内の任意のポイント（例えば、インデックス区間の始点又は終点、インデックス指示の入力時点など）に対応するフレームを特定し、そのフレームを、当該インデックス区間を代表するサムネイル画像３３０、４３０像として抽出してもよい。
【００７４】
機能制御部２４２は、記録再生部２２０等を制御して、録画された動画像に対して所定の機能を実行する。この機能制御部２４２は、タッチパネル４０に対するユーザ操作に基づいて、当該動画像の一部又は全部の区間に対して、所定機能を実行する。所定機能は、動画像の画像データに対して実行可能な任意の機能であり、例えば、動画像の少なくとも一部の区間の削除、再生、評価値の付与（即ち、レーティング）、プレイリスト作成などの機能である。機能制御部２４２は、これらの所定機能を、録画された１つの動画像の全部に対して行ってもよいし、或いは、当該動画像の一部の区間に対してのみ行ってもよい。このように、機能制御部２４２は、削除部、再生部、レーティング部、プレイリスト作成などとして機能する。
【００７５】
機能制御部２４２は、録画終了直後の録画確認画面４００に対するユーザ操作に応じて、記録媒体２に記録された動画像に対して所定機能を実行する。例えば、録画確認画面４００の表示中に、ユーザが、録画確認画面４００に表示された１又は２以上の機能アイコン４５０の中から削除アイコン４５０Ｃ（図７参照）を指定した場合を考える。この場合、タッチパネル４０は、録画確認画面４００上に表示された削除アイコン４５０Ｃに対するユーザ操作を検出する。機能制御部２４２は、上記削除アイコン４５０Ｃに対するユーザ操作に応じて、記録媒体２に記録された動画像のうち、当該インデックス区間以外の区間を削除する。このとき、機能制御部２４２は、メモリ２３８内のインデックス情報に基づいて、動画像のインデックス区間以外の画像区間を特定できる。このようにして、ユーザはタッチパネル４０を用いて、録画確認画面４００内の所望の機能アイコンを選択することで、録画終了直後の動画像に対して、削除、再生、レーティング等の機能を実行することができる。
【００７６】
また、機能制御部２４２は、撮像中のライブビュー画面３００に対するユーザ操作に応じて、撮像及び記録中の動画像に対して所定機能を実行する。例えば、撮像中に動画像にインデックス区間が付加された場合には、機能制御部２４２は、記録媒体２に対して記録された動画像のうち、インデックス区間より前に撮像された動画像の区間を自動的に削除する。これにより、ユーザが、撮像中に動画像の必要区間に対してインデックス区間を付加するだけで、撮像装置１０は、そのインデックス区間より前の不要な画像の区間を自動的に削除することができる。
【００７７】
［ライブビュー画面の表示例］
次に、図５を参照して、本実施形態に係る動画像の撮像中に表示されるライブビュー画面３００の表示例について説明する。図５は、本実施形態に係るライブビュー画面３００の表示例を示す図である。
【００７８】
図５に示すように、撮像装置１０におる動画像の撮像中（録画期間中）には、表示パネル２０の表示画面にライブビュー画面３００が表示される。ライブビュー画面３００は、撮像装置１０により現在撮像中の画像（即ち、撮像画像３０２）をリアルタイムで表示する画面である。ライブビュー画面３００の撮像画像３０２上には、インデックスアイコン３０６が表示される。インデックスアイコン３０６は、撮像中に動画像に対してインデックスを付加するためのＧＵＩボタンであり、上述した物理的なインデックス用ボタン３０Ｆと同等の機能を有する。ユーザは、動画像の撮像中の任意の時点で、ライブビュー画面３００上のインデックスアイコン３０６をタップすることで、撮像装置１０にインデックス指示を入力して、その時点の動画像に対してインデックスを付加することができる。なお、ライブビュー画面３００上のインデックスアイコン３０６の表示／非表示は、ユーザ設定に応じて切り替え可能である。
【００７９】
また、ライブビュー画面３００の下部側には、タイムバー３１０と、撮像中に設定されたインデックス区間を表す表示オブジェクト３２０及びサムネイル画像３３０が、撮像画像３０２上に重畳して表示される。
【００８０】
タイムバー３１０は、撮像中の動画像の録画時間の時間軸を表す表示オブジェクトの一例である。図示の例のタイムバー３１０は、ポイント状のスライダ３１２を有するスライダーバーで構成される。タイムバー３１０中のスライダ３１２は、録画時間の経過に伴って画面左方向から右方向に移動する。このスライダ３１２の位置は、動画像の先頭から現在撮像中の撮像画像３０２までの録画時間（即ち、録画開始時点から現在までの録画時間）を表す。ユーザは、タイムバー３１０中のスライダ３１２の位置を見ることで、撮像中の動画像の現在の録画時間を把握できる。なお、タイムバー３１０の尺を一定にして、現在時点を表すスライダ３１２が常に画面横方向の中心に配置されるように、タイムバー３１０がスクロール表示されてもよい。或いは、録画時間の経過とともにタイムバー３１０の尺を縮小して、ライブビュー画面３００内に常にタイムバー３１０全体が表示されるようにしてもよい。
【００８１】
表示オブジェクト３２０は、動画像の撮像中に設定されたインデックス区間を表す。このインデックス区間を表す表示オブジェクト３２０（以下、インデックス区間オブジェクト３２０という。）は、上記動画像の録画時間の時間軸を表すタイムバー３１０に対応づけて表示される。図示の例では、１つの動画像の撮像中に設定された２つのインデックス区間をそれぞれ表す２つのインデックス区間オブジェクト３２０Ａ、３２０Ｂが、タイムバー３１０の上側に表示されている。タイムバー３１０に対するインデックス区間オブジェクト３２０の相対位置は、インデックス区間オブジェクト３２０が表すインデックス区間が、録画時間の時間軸上のどの位置に該当するかを表している。ユーザは、インデックス区間オブジェクト３２０とタイムバー３１０を見比べることで、撮像中に設定されたインデックス区間の位置や時間長を把握できる。
【００８２】
さらに、インデックス区間オブジェクト３２０は、ユーザによるインデックス指示の入力時点を表すポイント３２２を含む。このポイント３２２は、動画像の撮像中に、ユーザがインデックス用ボタン３０Ｆ又はインデックスアイコン３０６を操作して、インデックス指示を入力した時点を表している。図示の例では、２つのポイント３２２Ａ、３２２Ｂが表示されており、１つの動画像の撮像中に２回のインデックス指示が入力されたことが分かる。ユーザは、インデックス区間オブジェクト３２０内のポイント３２２を見ることで、動画像に対してインデックスを付加した時点を把握できる。また、図示の例では、ポイント３２２Ａ、３２２Ｂは、インデックス区間オブジェクト３２０Ａ、３２０Ｂの右端に配置されており、インデックス指示の入力時点がインデックス区間の終点であることが分かる。
【００８３】
サムネイル画像３３０は、インデックス区間を代表する静止画像である。サムネイル画像３３０は、動画像のインデックス区間内の任意の時点（例えば始点、終点、インデックス指示の入力時点）で撮像されたフレームの画像である。図示の例では、上記インデックス指示の入力時点（ポイント３２２に相当）で撮像された撮像画像３０２のフレームが、サムネイル画像３３０として用いられている。しかし、インデックス区間の始点又は終点で撮像されたフレームが、そのインデックス区間のサムネイル画像３３０として表示されてもよい。また、図示の例では、２つのインデックス区間オブジェクト３２０Ａ、３２０Ｂについてそれぞれ、サムネイル画像３３０Ａ、３３０Ｂがポイント３２２Ａ、３２２Ｂからポップアップ表示されている。ユーザは、かかるサムネイル画像３３０を見ることで、設定されたインデックス区間の代表画像をライブビュー画面３００上で確認できる。
【００８４】
以上、図５を参照してライブビュー画面３００の表示例について説明した。次に、撮像装置１０による動画像の撮像中にインデックスを付加したときの撮像装置１０の動作について説明する。
【００８５】
上述したように、撮像装置１０には、撮像中に盛り上がったシーンや所望のシーンなどで、動画像の任意の時点にインデックスを付加するためのインデックス用操作部が設けられている。このインデック用操作部は、上記インデックス用ボタン３０Ｆや、インデックスアイコン３０６に対するユーザ操作を検出するタッチパネル４０などである。
【００８６】
撮像装置１０のユーザ（撮像者）は、撮像中のシーンが盛り上がっていると感じたときに、インデックス用操作部を操作して、撮像装置１０にインデックス指示を入力する。ユーザによりインデックス指示が入力されると、撮像装置１０は、そのインデックス指示が入力された時点を基準としてインデックス区間を設定し、そのインデックス区間を表すインデックス情報をメモリ２３８に記録する。さらに、撮像装置１０は、図５に示したように、表示パネル２０に表示されているライブビュー画面３００上に、タイムバー３１０と、インデックス区間オブジェクト３２０と、サムネイル画像３３０を表示する。上記のように、タイムバー３１０は録画時間の時間軸を表し、インデックス区間オブジェクト３２０は、設定されたインデックス区間を表し、サムネイル画像３３０はインデックス指示が入力された時点での撮像画像３０２である。
【００８７】
このように、本実施形態に係る撮像装置１０では、インデックス指示が入力された時点で撮像された１つのフレームに対してのみインデックスを付加するのではなく、インデックス指示が入力された時点を含む所定の期間で撮像された複数のフレームからなる区間に対してインデックスを付加する。この理由は次の通りである。動画撮像においては、ユーザによるインデックス指示の入力は１時点であっても、その入力時点の前後から撮像中のシーンは盛り上がっていると考えられる。例えば、父親が撮像装置１０により子供の笑顔を撮像したい場合、父親は、子供が笑った後にインデックス指示を入力する。しかし、実際の盛り上がりシーン（子供の笑い顔のシーン）は、父親がインデックス指示を入力した時点よりも前にも始まっている。このような場合には、インデックス指示の入力時点よりも前に撮像された画像に、インデックスを付加することが好ましい。
【００８８】
そこで、本実施形態に係る撮像装置１０は、インデックス用操作部に対する１回のユーザ操作を契機として、そのユーザ操作によりインデックス指示が入力された時点を基準として、その時点を含む所定期間を設定し、当該所定期間に撮像された複数のフレームからなる動画像の区間を、インデックス区間として自動的に設定する。
【００８９】
このインデックス区間の時間長は、例えば、予め設定された所定時間（例えば、５秒、１０、３０秒等）に設定される。撮像装置１０は、インデックス指示の入力時点を基準として、等配所定の時間長のインデックス期間を自動的に設定する。
【００９０】
図６Ａ〜Ｃは、本実施形態に係る撮像装置１０によるインデックス区間の自動設定方法を示す概念図である。図６Ａ〜Ｃでは、インデックス区間の時間長が所定時間（例えば１０秒）に固定されている例を示す。
【００９１】
図６Ａに示す例では、撮像装置１０は、インデックス区間を、インデックス指示の入力時点以前の１０秒間に設定する。この場合、インデックス区間の終点がインデックス指示の入力時点に対応する。かかる設定方法は、インデックス指示の入力前に既に撮像されたシーンが、盛り上がりシーンである場合に有用である。
【００９２】
また、図６Ｂに示す例では、撮像装置１０は、インデックス区間を、インデックス指示の入力時点以後の１０秒間に設定する。この場合、インデックス区間の始点がインデックス指示の入力時点に対応する。かかる設定方法は、インデックス指示の入力後に盛り上がるシーンを撮像する場合に有用である。
【００９３】
また、図６Ｃに示す例では、撮像装置１０は、インデックス区間を、インデックス指示の入力時点の前後の１０秒間に設定する。この場合、インデックス区間の中点がインデックス指示の入力時点に対応する。かかる設定方法は、インデックス指示の入力前後に盛り上がりシーンがあり、盛り上がりのピークでインデックス指示が入力される場合に有用である。
【００９４】
上記のように、本実施形態に係る撮像装置１０は、動画像中の盛り上がりシーン等を表すインデックスを、ポイントではなく、区間として取り扱う。そして、撮像装置１０は、インデックス指示の入力時点を基準としてインデックス区間を自動的に設定する。これにより、ユーザがインデックス用操作部を１回だけ操作すれば、撮像装置１０によって、その操作時点を基準として適切なインデックス区間を自動的に設定される。従って、ユーザは、インデックス区間を設定するために複数回の操作を行わなくて済むので、便利である。なお、ユーザは、図６Ａ〜Ｃに示したインデックス区間の設定方法と、インデックス区間の時間長を、撮像装置１０に対して予め設定しておくことができる。
【００９５】
さらに、動画像の撮像中には、ライブビュー画面３００上に、上記のように設定されたインデックス区間を表すインデックス区間オブジェクト３２０が、タイムバー３１０及びサムネイル画像３３０とともに表示される。その後、これらの表示開始から所定時間Ｔｓ１だけ経過すると、撮像装置１０は、上記タイムバー３１０、インデックス区間オブジェクト３２０及びサムネイル画像３３０等を、ライブビュー画面３００上から自動的に消去する。
【００９６】
以上説明したように、本実施形態に係る撮像装置１０は、動画像の撮像中に、その動画像の時間軸にマッピングされたインデックス区間オブジェクト３２０等を含むライブビュー画面３００を表示する。これにより、ユーザは、インデックス指示を入力した直後に、自動的に設定されたインデックス区間の時間長や位置をリアルタイムで確認できる。
【００９７】
［録画確認画面の表示例］
次に、図７を参照して、本実施形態に係る動画像の録画終了直後に表示される録画確認画面４００の表示例について説明する。図７は、本実施形態に係る録画確認画面４００の表示例を示す図である。
【００９８】
図７に示すように、撮像装置１０による動画像の録画終了直後（録画終了指示の入力直後）には、表示パネル２０の表示画面に録画確認画面４００が自動的に表示される。つまり、ユーザが録画終了ボタン（動画撮像用ボタン３０Ｅ）を押下して、動画像の撮像及び記録を終了すると、撮像装置１０は、表示パネル２０に録画確認画面４００を表示する。
【００９９】
録画確認画面４００は、動画像の録画終了直後に撮像装置１０の表示パネル２０に自動的に表示されるオートレビュー画面である。ここで、「録画終了指示の直後（録画終了直後）」とは、「録画終了指示が入力された時点から、録画確認画面４００の生成及び表示に必要な処理時間の経過後すぐに」を意味するが、例えば、録画終了指示が入力された時点から数秒（例えば１秒）以内に録画確認画面４００が表示されることが好ましい。録画確認画面４００は、タッチパネル４０に対して所定機能を実行するためのユーザ操作が行なわれない限り、録画終了直後に自動的に表示されてから任意の所定時間Ｔｓ２が経過すると自動的に消え、録画待機画面に遷移する。録画終了前後において表示パネル２０に表示される画面の遷移を整理すると以下の通りである
【０１００】
（１）録画モードでの録画期間中には、撮像及び録画中のライブビュー画面３００が表示される。このライブビュー画面３００上には、インデックス指示の入力に応じて、上述したインデックス区間オブジェクト３２０等が所定時間Ｔｓ２だけ自動的に表示され、その後、インデックス区間オブジェクト３２０等が非表示になる。
（２）録画期間中に録画終了指示が入力されて、録画を終了した直後には、録画確認画面４００が自動的に表示される。そして、録画確認画面４００に対してユーザ操作がない場合には、録画確認画面４００の表示開始から所定時間Ｔｓ２経過後に、当該録画確認画面４００が自動的に消去される。
（３）録画確認画面４００が消去された後の録画待機モード（非録画期間）では、撮像装置１０による撮像中のライブビュー画面である録画待機画面（図示せず。）が表示される。
【０１０１】
以下に、図７を参照して録画確認画面４００の内容について詳述する。図７に示すように録画確認画面４００では、録画された動画像から抽出された任意のフレームの再生画像４０２（例えば、動画像の最終画像）が表示される。
【０１０２】
さらに、録画確認画面４００の下部側には、タイムバー４１０と、インデックス区間を表す表示オブジェクト４２０と、サムネイル画像４３０が、再生画像４０２上に重畳して表示される。表示オブジェクト４２０は、撮像中に設定された全てのインデックス区間を表す表示オブジェクト（以下、インデックス区間オブジェクト４２０という。）である。図７に示す録画確認画面４００上に表示されるタイムバー４１０、インデックス区間オブジェクト４２０及びサムネイル画像４３０は、図５に示したライブビュー画面３００上に表示されるタイムバー３１０、インデックス区間オブジェクト３２０及びサムネイル画像３３０と略同一の機能構成を有する。
【０１０３】
タイムバー４１０は、録画された動画像の録画時間の時間軸を表す表示オブジェクトの一例である。図示の例のタイムバー４１０は、ポイント状のスライダ４１２を有するスライダーバーで構成される。このスライダ４１２の位置は、動画像の先頭から、録画確認画面４００上に表示される再生画像４０２までの録画時間（即ち、録画開始時点から現在までの録画時間）を表す。ユーザは、タイムバー４１０中のスライダ４１２の位置を見ることで、再生画像４０２の時間軸上の位置（フレーム位置）を把握できる。また、ユーザが、スライダ４１２をタップして、タイムバー４１０内を左右にスライドさせると、撮像装置１０は、スライダ４１２の位置を検知して、動画像のうち当該スライダ４１２の位置に対応するフレームの再生画像４０２を録画確認画面４００上に表示させる。これにより、ユーザは、録画された動画像の時間軸上の任意の位置の再生画像４０２を確認できる。なお、タイムバー４１０の尺を一定にして、現在時点を表すスライダ４１２が常に画面横方向の中心に配置されるように、タイムバー４１０がスクロール表示されてもよい。或いは、再生時間の経過とともにタイムバー４１０の尺を縮小して、録画確認画面４００内に常にタイムバー４１０全体が表示されるようにしてもよい。
【０１０４】
インデックス区間オブジェクト４２０は、動画像の録画時間の時間軸を表すタイムバー４１０に対応づけて表示される。図示の例では、１つの動画像の撮像中に設定された２つのインデックス区間をそれぞれ表す２つのインデックス区間オブジェクト４２０Ａ、４２０Ｂが、タイムバー４１０の上側に表示されている。タイムバー４１０に対するインデックス区間オブジェクト４２０の相対位置は、インデックス区間オブジェクト４２０が表すインデックス区間が、録画時間の時間軸上のどの位置に該当するかを表している。ユーザは、インデックス区間オブジェクト４２０とタイムバー４１０を見比べることで、撮像中に設定されたインデックス区間の位置や時間長を把握できる。
【０１０５】
さらに、インデックス区間オブジェクト４２０は、ユーザによるインデックス指示の入力時点を表すポイント４２２を含む。図示の例では、２つのポイント４２２Ａ、４２２Ｂが表示されており、１つの動画像の撮像中に２回のインデックス指示が入力されたことが分かる。ユーザは、インデックス区間オブジェクト４２０内のポイント４２２を見ることで、動画像に対してインデックスを付加した時点を把握できる。
【０１０６】
サムネイル画像４３０は、インデックス区間を代表する静止画像であり、サムネイル画像４３０は、動画像のインデックス区間内の任意の時点（例えば始点、終点、インデックス指示の入力時点）で撮像されたフレームの画像である。図示の例では、２つのインデックス区間オブジェクト４２０Ａ、４２０Ｂについてそれぞれ、サムネイル画像４３０Ａ、４３０Ｂがポイント４２２Ａ、４２２Ｂからポップアップ表示されている。ユーザは、かかるサムネイル画像４３０を見ることで、設定されたインデックス区間の代表画像を録画確認画面４００上で確認できる。
【０１０７】
以上説明したように、本実施形態に係る撮像装置１０では、動画像の録画終了直後に、その動画像の時間軸にマッピングされたインデックス区間オブジェクト４２０等を含む録画確認画面４００を表示する。これにより、ユーザは、動画像の録画終了直後の記録の鮮明なうちに、撮像中に動画像に対して設定された全てのインデックス区間の時間長や位置を確認できる。さらに、ユーザは、上記録画確認画面４００上で、上記撮像装置１０により自動的に設定されたインデックス区間が妥当かどうか確認し、インデックス区間をユーザ所望の区間に修正できる。
【０１０８】
以下に、図８〜図１０を参照して、録画確認画面４００上でのインデックス区間の修正処理について説明する。図８は、本実施形態に係る録画確認画面４００におけるインデックス区間の修正例を示す図である。図９、図１０は、インデックス区間の修正の変更例を示す。
【０１０９】
図８に示すように、録画確認画面４００上に表示されるインデックス区間オブジェクト４２０の両端には、インデックス区間の始点及び終点を表す旗マーク４２４が表示される。この旗マーク４２４は、インデックス区間の始点及び終点を表す表示オブジェクトの一例である。図示の例では、２つのインデックス区間オブジェクト４２０の両端に、それぞれのインデックス区間の始点と終点を表す旗マーク４２４Ａ、４２４Ｂ、４２４Ｃ、４２４Ｄがそれぞれ表示されている。
【０１１０】
ユーザは、録画確認画面４００上で、修正したいインデックス区間に対応するインデックス区間オブジェクト４２０の旗マーク４２４を指でタップして、録画確認画面４００上をなぞりながら当該旗マーク４２４を左右に移動させる。このとき、かかる旗マーク４２４の移動に応じて、録画確認画面４００上の再生画像４０２も、その旗マーク４２４の時間軸上の位置に該当するフレームの画像に変化する。これにより、ユーザは録画確認画面４００上の再生画像４０２を見ながら、インデックス区間の始点又は終点を所望の位置に正確に修正できる。
【０１１１】
かかるユーザ操作に応じて、撮像装置１０は、ユーザにより操作された旗マーク４２４に対応するインデックス区間の始点又は終点を修正する。このインデックス区間の修正処理について詳述する。タッチパネル４０は、上記ユーザ操作により指定された旗マーク４２４と、その移動量及び移動方向を検知する。インデックス設定部２３６は、検知された旗マーク４２４に対応するインデックス区間の始点又は終点を特定し、その始点又は終点を、検知された移動量及び移動方向に応じた位置に修正する。例えば、図８の例で、ユーザが旗マーク４２４Ｂを左方向に動かした場合には、インデックス区間オブジェクト４２０が表すインデックス区間の終点が修正され、当該インデックス区間の時間長が短くなる。
【０１１２】
また、図９は、図８の旗マーク４２４をサムネイル画像４３０に置換した変更例である。サムネイル画像４３０Ｃ、４３０Ｄはそれぞれ、インデックス区間オブジェクト４２０に対応するインデックス区間の始点と終点のフレームの画像である。また、図１０は、図８の旗マーク４２４をＧＵＩボタン４４０に置換した変更例である。ユーザは、録画確認画面４００上で、かかるサムネイル画像４３０やＧＵＩボタン４４０を指定して、所望の方向に、所望の移動量だけ移動させることで、上記旗マーク４２４の場合と同様にして、インデックス区間を修正できる。
【０１１３】
以上のようにして、ユーザは、上記録画確認画面４００上で、上記撮像装置１０により自動的に設定されたインデックス区間の始点と終点を、ユーザが実際に認識している盛り上がりシーンの始点と終点に修正できる。録画確認画面４００は、動画像の録画終了直後のユーザの記憶が鮮明なときに表示されるので、ユーザは、撮像装置１０により自動設定されたインデックス区間を、所望の区間に正確に修正できる。このようにして、録画直後にインデックス区間を正確に修正しておくことで、後に動画像を編集するときの正確な目安となる。
【０１１４】
かかる録画確認画面４００は、（ａ）録画された動画像に対して設定されたインデックス区間を録画直後にユーザに提示するためのオートレビュー機能と、（ｂ）録画直後にインデックス区間を修正するための修正機能と、（ｃ）録画直後に当該動画像の少なくとも一部に対して所定機能（再生、削除、レーティング等）を実行するため編集機能とを兼ね備えている。（ａ）のオートレビュー機能と（ｂ）の修正機能は、上記のように、録画確認画面４００内に録画時間の時間軸に対応付けて表示されるインデックス区間オブジェクト４２０等により実現される。（ｃ）の編集機能は、録画確認画面４００上に表示される機能アイコン４５０（図７及び図８参照）により実現される。
【０１１５】
ここで、再び図７及び図８を参照して、録画確認画面４００上の機能アイコン４５０を利用した動画像の編集機能について説明する。
【０１１６】
図８及び図９に示すように、録画確認画面４００には、複数の機能アイコン４５０が表示される。機能アイコン４５０は、録画された動画像に対して所定機能（例えば、再生、レーティング、削除等）を実行するための契機となるＧＵＩ部品である。図８の例では、録画確認画面４００の右側に、３つの機能アイコン４５０、即ち、再生アイコン４５０Ａ、レーティングアイコン４５０Ｂ、削除アイコン４５０Ｃが表示されている。
【０１１７】
再生アイコン４５０Ａは、記録媒体２に記録された動画像のうちインデックス区間のみを再生するための機能アイコンである。レーティングアイコン４５０Ｂは、記録媒体２に記録された動画像のインデックス区間に評価値を付与するための機能アイコンである。削除アイコン４５０Ｃは、記録媒体２に記録された動画像のうち、インデックス区間以外の区間を削除するための機能アイコンである。
【０１１８】
ユーザは、録画確認画面４００上で上記機能アイコン４５０を指定することで、録画された動画像に対して、当該選択した機能アイコン４５０に対応する機能を実行させることができる。上述したように、撮像装置１０の表示パネル２０上にはタッチパネル４０が設けられており、タッチパネル４０は、ユーザにより指定された録画確認画面４００上の位置（画面位置）を検出する。かかるタッチパネル４０により、機能アイコン４５０の選択操作などを検出できる。
【０１１９】
録画確認画面４００の表示中には、撮像装置１０は、タッチパネル４０により当該ユーザ操作の有無を検出している。この結果、録画確認画面４００の表示中にタッチパネル４０により検出された位置が、いずれかの機能アイコン４５０の表示位置に対応する場合には、ユーザが、当該機能アイコン４５０を選択したといえる。この場合、撮像装置１０は、当該機能アイコン４５０に対応する機能の実行指示が入力されたと判断し、録画された動画像のインデックス区間又はそれ以外の区間に対して、当該機能アイコン４５０に対応する機能を実行する。
【０１２０】
例えば、録画確認画面４００の表示中に、ユーザが再生アイコン４５０Ａを指定（タップ）すると、撮像装置１０は、インデックス情報に基づいて、記録媒体２に記録された動画像からインデックス区間の画像データのみを抽出し、当該インデックス区間の画像データのみを再生して、再生画像を録画確認画面４００上に表示する。これにより、ユーザは、録画された動画像のうち、盛り上がりシーン等からなるインデックス区間の画像のみを見ることができるので、動画像の見たい区間を効率的に確認できる。
【０１２１】
また、録画確認画面４００の表示中に、ユーザがレーティングアイコン４５０Ｂを指定（タップ）すると、撮像装置１０は、記録媒体２に記録された動画像のインデックス区間に対して、ユーザにより指定された評価値を付与する。例えば、撮像装置１０は、レーティングアイコンの指定に応じて、評価値を入力するための画面（図示せず。）を表示し、その入力画面内で指定された評価値を動画像に付与するようにしてもよい。評価値は、例えばレベル１〜レベル５までの多段階で付与することが可能である。入力された評価値の情報は、動画像に関連づけて記録媒体２等に保存される。かかる評価値の情報はその後に動画像を再生又は編集するときに有用である。
【０１２２】
また、録画確認画面４００の表示中に、ユーザが削除アイコン４５０Ｃを指定（タップ）すると、撮像装置１０は、動画像のうちインデックス区間以外の区間の画像データを、記録媒体２から削除する。この場合、撮像装置１０は、削除アイコン４５０Ｃに対するユーザ操作に応じて直接、動画像のインデックス区間以外の区間の画像データを削除してもよい。或いは、撮像装置１０は、削除するか否かを確認するための確認ダイアログ（図示せず。）を表示して、ユーザ確認が得られた場合に、動画像のインデックス区間以外の区間の画像データを削除してもよい。また、動画像を削除する方法としては、例えば、記録媒体２に記録されている動画像のデータを完全に削除する方法の他、当該動画像のデータを削除リストに移動させて所定期間保持した後に削除する方法、又は、実際には動画像のデータは保存されているが、ユーザに当該データを提示しない方法などがある。
【０１２３】
以上のように、録画確認画面４００上の機能アイコン４５０にタップするという簡単なユーザ操作により、録画された動画像のうち見たい区間であるインデックス区間を再生したり、インデックス区間以外の不要な区間のみを削除したりできる。ユーザは、録画確認画面４００上で機能アイコン４５０を指定するだけで、インデックス区間のみを再生する、又は、インデックス区間のみを記録媒体２に本記録するなどの編集作業を簡単に行うことができる。また、撮影された動画像のうち、ユーザにとって必要な部分であるインデックス区間の画データのみを記録媒体２に記録することができる。従って、記録媒体２の記録領域を無駄に使わずに、必要な動画像を効率的に記録できる。
【０１２４】
以上、図７〜図１０を参照して、録画確認画面４００におけるインデックス区間の修正機能及び動画像の編集機能について説明した。本実施形態に係る録画確認画面４００によれば、ユーザは、動画像を録画した直後の記憶が鮮明なうちに、撮像中に設定したインデックス区間を所望の区間に修正することができるので、より精度の高いインデックス区間を動画像に付加することができる。さらに、動画像に対して１時点のインデックスポイントではなく、所定の時間長のインデックス区間が付加されているので、撮像後に動画像を再生、編集するときに、インデックス区間を目安にして、短時間で効率的に動画像を再生、編集できる。
さらに、録画確認画面４００によれば、ユーザは、動画像を録画した直後の記憶が鮮明なうちに、インデックス区間を基準として動画像を再生、編集することができる。しかも、かかる動画像に対する再生、編集作業は、タッチパネル４０を用いて機能アイコン４５０を指定するという簡単なユーザ操作で実現できる。
【０１２５】
従来の撮像装置では、録画した動画像を事後的に選別・編集する場合、動画像を先頭から再生してその内容を確認する必要があり、非常に煩雑で非効率的な作業であった。これに対し、本実施形態に係る録画確認画面４００によれば、録画直後のユーザの記憶が鮮明なうちに、動画像のインデックス区間のみを再生する、動画像のインデックス区間以外の不要部分を削除するなどの編集作業をすることができる。従って、再生、編集作業が容易であり、非常に便利である。また、録画直後に録画確認画面４００において、動画像のインデックス区間を部分的にレーティングしておけば、事後的に動画像を再生閲覧したり編集したりする際にも便利である。
【０１２６】
［撮像装置による処理フロー］
次に、図１１を参照して、本実施形態に係る撮像装置１０による撮像及び画像処理フローについて説明する。図１１は、本実施形態に係る撮像装置１０による撮像時及び録画終了時の処理方法を示すフローチャートである。
【０１２７】
図１１Ａに示すように、ユーザにより録画開始ボタン（動画撮像用ボタン３０Ｅ）が押下されて、録画開始指示が入力されると、（Ｓ１００）、撮像装置１０は、動画像の録画動作を開始する（Ｓ１０２）。この動画像の録画動作では、撮像装置１０は、被写体を撮像するとともに、当該撮像により得られた複数枚のフレームをディスク状記録媒体２に記録する。また、撮像装置１０は、現在撮像中の撮像画像３０２を表すライブビュー画面３００（図５参照。）を表示パネル２０に表示する。
【０１２８】
録画期間中には、撮像装置１０は、インデックス用操作部（例えば、インデックス用ボタン３０Ｆ、タッチパネル４０）に対する１回のユーザ操作が行われたか否か、即ち、ユーザからインデックス指示が入力されたか否を検出している（Ｓ１０４）。ユーザは、インデックス用ボタン３０Ｆを押下するか、ライブビュー画面３００上のインデックスアイコン３０６をタップすることで、撮像装置１０にインデックス指示を入力できる。
【０１２９】
次いで、撮像装置１０は、インデックス指示の入力に応じて、インデックス指示が入力された時点を含む所定期間に撮像された動画像の区間を、インデックス区間として設定する（Ｓ１０６）。例えば図６Ａ〜Ｃに示したように、撮像装置１０は、インデックス指示の入力時点を含むようにインデックス期間を設定し、そのインデックス期間に撮像された複数のフレームからなるインデックス区間を設定する。
【０１３０】
さらに、撮像装置１０は、ライブビュー画面３００上に、Ｓ１０４で設定されたインデックス区間を表すインデックス画像を表示する（Ｓ１０８）。インデックス画像は、図５で説明したタイムバー３１０、インデックス区間オブジェクト３２０及びサムネイル画像３３０などを含む。かかるインデックス画像をライブビュー画面３００上に表示することにより、ユーザは、Ｓ１０４でのインデックス操作に応じて設定されたインデックス区間を、撮像中に確認できる。その後、上記ライブビュー画面３００上のインデックス画像の表示時間が所定時間Ｔｓ１になったときに（Ｓ１１０）、撮像装置１０は、ライブビュー画面３００上からインデックス画像を消去する（Ｓ１１２）。
【０１３１】
以上のような動画像の録画処理と、インデックス区間の設定及び表示処理Ｓ１０４〜Ｓ１１２は、ユーザにより録画終了指示が入力されるまで継続される（Ｓ１１４）。つまり、録画期間中には、撮像装置１０は、ユーザにより録画終了指示が入力されたか否か、即ち、録画終了ボタン（即ち、動画撮像用ボタン３０Ｅ）が押下されたか否かを検出している（Ｓ１１４）。録画終了指示が入力されたときには、撮像装置１０は録画動作を終了して（Ｓ１１６）、録画された動画像に関する録画確認画面４００（図７参照。）を表示する（Ｓ１１８）。録画確認画面４００は、図７で説明したタイムバー４１０、インデックス区間オブジェクト４２０及びサムネイル画像４３０などを含む。かかる録画確認画面４００により、ユーザは、録画中に設定された全てのインデックス区間を、録画終了直後に再度確認できる。
【０１３２】
さらに図１１Ｂに示すように、録画確認画面４００の表示中には、撮像装置１０は、ユーザによりインデックス区間の修正操作が行われたか否かを検出している（Ｓ１２０）。図８に示したように、ユーザは、録画確認画面４００上のインデックス区間オブジェクト４２０を操作することで、インデックス区間の始点又は終点を修正できる。インデックス区間を修正するユーザ操作が行われた場合、撮像装置１０は、当該ユーザ操作に応じて、インデックス区間を修正して、メモリ２３８内のインデックス情報を更新するとともに、修正後のインデックス区間に対応するインデックス区間オブジェクト４２０を、録画確認画面４００上に表示する（Ｓ１２２）。
【０１３３】
また、録画確認画面４００の表示中に、録画確認画面４００上の機能アイコン４５０に対するユーザ操作が行われた場合には、撮像装置１０は、当該機能アイコン４５０に対するユーザ操作に応じて、動画像を編集する（Ｓ１２４）。例えば、録画確認画面４００上の再生アイコン４５０Ａが指定された場合には、録画された動画像のうちインデックス区間のみを再生する。また、録画確認画面４００上の削除アイコン４５０Ｃが指定された場合には、録画された動画像のうちインデックス区間以外の区間を削除する。
【０１３４】
その後、インデックス区間の修正操作（Ｓ１２０）や、動画像の編集操作（Ｓ１２４）が行われることなく、録画確認画面４００の表示時間が所定時間Ｔｓ２になったときに（Ｓ１２６）、撮像装置１０は、動画像とインデックス情報とを関連づけて記録媒体２に記禄する（Ｓ１２８）。Ｓ１２４で動画像が編集されている場合には、編集後の動画像（例えば、インデックス区間のみの画像データ）が記録される。また、Ｓ１２２でインデックス区間が修正されている場合には、修正後のインデックス区間を表すインデックス情報が記録される。
【０１３５】
さらに、撮像装置１０は、録画待機状態に移行して、録画確認画面４００を自動的に消去して、録画待機画面を表示する（Ｓ１３０）。録画待機画面は、録画待機モードで表示されるライブビュー画面であり、撮像装置１０による撮像中の画像を表示する。なお、必ずしも、上記のように録画確認画面４００の表示後に録画待機モードに移行しなくてもよい。例えば、ユーザが録画確認画面４００を用いて一定時間以上編集操作をおこなっている場合には、動画像を編集する編集モードに移行してもよい。この編集モードとは、再生モード中の編集専用の機能を意味する。
【０１３６】
上記のように本実施形態では、録画確認画面４００の表示時間が所定時間Ｔｓ２となったときに、動画像とインデックス情報を本記録するとともに、録画確認画面４００を自動消去する。他の例として、録画確認画面４００上に、当該録画確認画面４００の表示を終了するためのＧＵＩボタンを設け、ユーザがそのＧＵＩボタンを指定（タップ）すると、撮像装置１０は、動画像とインデックス情報を記録媒体に記録するとともに、録画確認画面４００を消去して、録画待機状態に戻ってもよい。
【０１３７】
＜２．第２の実施形態＞
次に、本開示の第２の実施形態について説明する。第２の実施形態に係る撮像装置１０は、動画像の撮像中に、ライブビュー画面３００上でユーザが指定したオブジェクトが映っている区間をインデックス区間として設定する。なお、第２の実施形態は、第１の実施形態と比べてインデックス区間の設定方法が相違し、その他の機能構成は第１の実施形態と実質的に同一であるのでその詳細説明は省略する。
【０１３８】
［オブジェクト認識によるインデックス区間の設定］
まず、図１２を参照して、第２の実施形態に係るオブジェクト認識を利用したインデックス区間の設定方法について説明する。図１２は、本実施形態に係るライブビュー画面３００上において、撮像画像３０２に映っているオブジェクト３４０を指定してインデックス区間を設定するときの表示例を示す図である。
【０１３９】
図１２に示すように、動画像の撮像中には、ライブビュー画面３００上には、撮像装置１０により撮像中の被写体の撮像画像３０２がリアルタイムで表示される。このライブビュー画面３００上の撮像画像３０２には、ユーザが撮像したいオブジェクト３４０（図示の例では犬）が映っている。オブジェクトは、撮像装置１０による撮像対象である任意の物、例えば、人物、人物の顔、動物、植物、乗り物、建造物、風景などである。
【０１４０】
動画像の撮像中に、ユーザが、撮像画像３０２中のオブジェクト３４０を指で指定（タップ）すると、撮像装置１０は、ユーザにより指定されたライブビュー画面３００上の位置に映っているオブジェクト３４０を認識する。そして、撮像装置１０は、録画期間に撮像される動画像のうち、そのオブジェクト３４０が映っている区間をインデックス区間として設定する。以下に、このようにオブジェクト認識を利用してインデックス区間を設定するときの動作について詳述する。
【０１４１】
まず、動画像の撮像中に、ユーザが、ライブビュー画面３００を見ながら、操作体を用いてライブビュー画面３００上に表示されているオブジェクト３４０を指定する。かかるユーザによりオブジェクト３４０の指定操作が、撮像装置１０に対するインデックス指示の入力操作となる。ライブビュー画面３００に対するオブジェクト３４０の指定に応じて、タッチパネル４０は、ユーザにより指定されたライブビュー画面３００上の位置を検出する。そして、撮像装置１０は、その時点での撮像画像３０２のフレームを解析することで、上記タッチパネル４０により検出された画面位置に映っているオブジェクト３４０を認識する。そして、オブジェクト認識部２４０は、録画期間中に撮像される動画像の中から、そのオブジェクト３４０が映っている複数のフレームを特定する。そして、撮像装置１０は、オブジェクト３４０が映っている複数のフレームからなる動画像の区間を、インデックス区間として設定する。このインデックス区間は、オブジェクト３４０が映っている区間であれば、ユーザによるインデックス指示の入力時点（オブジェクト３４０がタップされた時点）の前後に渡る。即ち、インデックス区間は、インデックス指示の入力時点より前に既に撮像された区間（図１２のインデックス区間オブジェクト３２０に相当する部分）と、当該入力時点以後に撮像される区間（図１２では図示せず。）を含む。
【０１４２】
かかるオブジェクト認識によりインデックス区間が設定されると、図１２に示すように、撮像装置１０は、ライブビュー画面３００上に、設定したインデックス区間に関するインデックス画像を所定時間Ｔｓ１だけ表示させる。このインデックス画像は、上述したタイムバー３１０、インデックス区間オブジェクト３２０及びサムネイル画像３３０に加えて、オブジェクトモデル３４５などを含む。オブジェクトモデル３４５は、上記オ認識されたオブジェクト３４０のアニメーション化した表示モデルである。ユーザは、かかるインデックス画像を見ることで、指定したオブジェクト３４０が映っているインデックス区間の位置や時間長を確認できる。また、オブジェクトモデル３４５により、認識されたオブジェクト３４０を確認できる。
【０１４３】
以上のように、本実施形態に係る撮像装置１０は、オブジェクト認識を利用して、ユーザ指定されたオブジェクト３４０が映っている区間のみを自動的に切り出して、インデックス区間を設定する。これにより、ユーザは、ライブビュー画面３００上でオブジェクト３４０を指定するという簡単な操作を行うだけで、所望のオブジェクト３４０が映っている動画像の区間に対して、インデックスを付加できる。従って、撮像後に動画像を再生、編集するときに、所望のオブジェクト３４０が映っている区間とそれ以外の区間を容易に区別できる。さらに、ユーザは、オブジェクト３４０が映っている区間のみを再生したり、それ以外の区間（即ち、オブジェクト３４０が映っていない区間）を削除したりできる。また、タッチパネル４０上の任意の位置に対するユーザ操作により、インデックス指示を入力できるので、第１の実施形態のようなインデックス専用の操作部（インデックス用ボタン３０Ｆ、インデックスアイコン３０６）を設けなくても済む。
【０１４４】
［オブジェクトが映っていない区間の削除］
次に、図１３を参照して、撮像後に、録画確認画面４００において削除アイコン４５０Ｃを用いて動画像の一部を削除する方法について詳述する。図１３は、本実施形態に係る録画確認画面４００において、インデックス区間以外の区間を削除するときの表示例を示す図である。
【０１４５】
図１３に示すように、録画終了後に表示される録画確認画面４００上には、上記の機能アイコン４５０が表示される。このうち削除アイコン４５０Ｃは、録画された動画像のうち、インデックス区間以外の区間をまとめて削除するための操作ボタンである。録画確認画面４００の表示中に、ユーザが削除アイコン４５０Ｃを指定（タップ）すると、撮像装置１０は、仮記録されている動画像のうち、インデックス区間以外の区間の画像データを削除して、インデックス区間のみの画像データを記録媒体２に本記録する。
【０１４６】
具体的には、図１３の例は、動画像の撮像中に図１２で説明したオブジェクト指定によりインデックス区間を設定し、その動画像の録画終了後に表示される録画確認画面４００において、オブジェクト３４０が映っていない区間を削除する例である。図１３に示すように、録画確認画面４００上には、２つのインデックス区間オブジェクト４２０Ａ、４２０Ｂが表示されている。これにより、撮像中に２つのインデックス区間が設定され、それぞれのインデックス区間に、撮像中ユーザにより指定されたオブジェクト３４０（例えば犬）が映っていることが分かる。
【０１４７】
このような録画確認画面４００において、ユーザが削除アイコン４５０Ｃをタップすると、撮像装置１０は、撮像中にメモリ２３８に記録されたインデックス情報に基づいて、オブジェクト３４０が映っているインデックス区間と、それ以外の区間を特定する。そして、撮像装置１０は、仮記録されている動画像のうち、オブジェクト３４０が映っていない区間（図１３のタイムバー４１０中の斜線部分４１４に相当する。）を削除し、オブジェクト３４０が映っている区間（図１３のインデックス区間オブジェクト４２０に相当する。）を記録媒体２に本記録する。
【０１４８】
以上のように、削除アイコン４５０Ｃにタップするという簡単なユーザ操作に応じて、撮像中にユーザが指定したオブジェクト３４０（被写体）が映っていない不要区間は削除されて、当該オブジェクト３４０が映っている必要区間のみが記録される。従って、ユーザは、撮像中に、図１２のライブビュー画面３００上でオブジェクト３４０を指定し、撮像後に、図１３の録画確認画面４００で削除アイコン４５０Ｃを指定するだけで、所望の被写体が映っている画像区間だけを切り出して、記録することができる。よって、短時間で効率的に動画像の編集作業を実行できる。
【０１４９】
［オブジェクトが映っていない区間の自動削除］
次に、図１４を参照して、撮像中に、ライブビュー画面３００において動画像の一部を自動的に削除する方法について詳述する。図１４は、本実施形態に係るライブビュー画面３００において、インデックス区間より前に撮像された区間を自動削除するときの表示例を示す図である。
【０１５０】
図１４に示すように、動画像の撮像中に、ユーザが、ライブビュー画面３００上に表示されているオブジェクト３４０を指定（タップ）すると、図１２と同様に、撮像装置１０は、オブジェクト認識により、オブジェクト３４０が映っている区間をインデックス区間として設定する。さらに、撮像装置１０は、上記オブジェクト３４０の指定に伴うインデックス区間の設定に応じて、インデックス区間より前に撮像された動画像の区間を自動的に削除する。ここで、インデックス区間より前に撮像された動画像の区間とは、撮像中の動画像の先頭から、設定されたインデックス区間の始点までの区間（図１４のタイムバー３１０中の斜線部分３１４に相当する。）である。
【０１５１】
このように、撮像装置１０は、撮像中にオブジェクト認識によりインデックス区間を設定した時点で、既に撮像及び記録された動画像のうち、当該インデックス区間よりも前の部分を自動的に削除する。これにより、動画像の撮像中にユーザが削除操作を行わなくても、インデックス区間より前に撮像された不要な区間を、自動的に削除できる。
【０１５２】
かかる自動削除は、例えば次のようなユースケースで有用である。例えば、ユーザが、移動している物体Ａ（例えば、運動会で走っている子供、走行中の電車など）を撮像するために、録画動作中の撮像装置１０を構えている場合を想定する。この場合、移動している物体Ａが撮像装置１０の撮像範囲内に入ってきたときに、ユーザが、ライブビュー画面３００上に映っている物体Ａをタップする。すると、撮像装置１０は、その物体Ａが映っている区間をインデックス区間に設定し、物体Ａが映る前に撮像された部分のデータを自動的に削除する。これにより、撮像装置１０は、ユーザ所望の物体Ａが映っている区間の画像データのみを記録媒体に記録できる。
【０１５３】
なお、図１２〜図１４の例では、オブジェクト３４０として犬の例を挙げて、犬が映っている区間をインデックス区間に設定する例について説明したが、本開示はかかる例に限定されない。例えば、人物の顔をオブジェクト３４０として指定することで、その人物の顔が映っている区間をインデックス区間として設定してもよい。また、オブジェクト認識技術と笑顔検出技術とを組み合わせて、人物の笑顔が映っている区間をインデックス区間に設定することもできる。
【０１５４】
＜３．第３の実施形態＞
次に、本開示の第３の実施形態について説明する。第３の実施形態に係る撮像装置１０は、動画像の撮像中に、タッチパネル４０に対するユーザのジェスチャー（表示画面のなぞり方）に応じてインデックス区間を設定する。なお、第３の実施形態は、第１及び第２の実施形態と比べてインデックス区間の設定方法が相違し、その他の機能構成は第１及び第２の実施形態と実質的に同一であるのでその詳細説明は省略する。
【０１５５】
上記のように、タッチパネル４０は、操作体（例えばユーザの指）により指定された表示画面上の位置だけでなく、操作体による表示画面のなぞり方（例えば、なぞり方向、なぞり長）を検出できる。従って、撮像中にユーザが表示画面をなぞったときに、撮像装置１０は、タッチパネル４０によりそのなぞり方を検出し、当該なぞり方に応じてインデックス区間の設定方法を変更することができる。
【０１５６】
例えば、撮像装置１０は、操作体による表示画面のなぞり方向に応じて、表示画面がなぞられた時点を基準としてインデックス区間を設定する。また、撮像装置１０は、操作体による表示画面のなぞり長に応じて、インデックス区間の時間長及び始点を設定する。このようにユーザによるなぞり方に応じてインデックス区間を設定することで、表示画面に対する１回のユーザ操作に応じて、撮像装置１０が設定可能なインデックス区間のバリエーションを増やすことができる。これにより、ユーザは、簡単な操作によって、所望のインデックス区間を設定するように撮像装置１０に指示できる。以下に具体的な表示例について説明する。
【０１５７】
［画面のなぞり方向に応じたインデックス区間の設定］
まず、図１５〜図１７を参照して、第３の実施形態に係るライブビュー画面３００において、表示画面に対するなぞり方向に応じて、インデックス区間を設定する方法について説明する。図１５は、ライブビュー画面３００上でオブジェクト３４０が左方向になぞられたときの表示例であり、図１６は、ライブビュー画面３００上でオブジェクト３４０が右方向になぞられたときの表示例である。図１７は、図１６で設定されたインデックス区間を表す録画確認画面４００の表示例である。
【０１５８】
図１５に示すように、動画像の撮像中に、ユーザが、ライブビュー画面３００上の撮像画像３０２に含まれるオブジェクト３４０を指で左方向になぞったときは、まず、撮像装置１０は、タッチパネル４０により、ライブビュー画面３００上のなぞられた位置と、なぞり方向を検出する。次いで、撮像装置１０は、ライブビュー画面３００上のなぞられた位置に映っているオブジェクト３４０を認識する。この場合、ユーザが表示画面（タッチパネル４０）をなぞる操作は、インデックス指示の入力操作に相当し、なぞられた時点は、インデックス指示の入力時点に該当する。また、オブジェクト３４０を認識する処理は、第２の実施形態と同様である。
【０１５９】
次いで、撮像装置１０は、なぞられた時点より前に既に撮像された動画像のうち、オブジェクト３４０が映っている区間の始点（ポイント３２４に相当）から、なぞられた時点（ポイント３２２に相当）までの区間を、インデックス区間として設定する。ここで、オブジェクト３４０が映っている区間の始点は、動画像中でオブジェクト３４０が最初に認識されたフレームに対応する。その後、撮像装置１０は、ライブビュー画面３００上に、設定したインデックス区間を表すインデックス区間オブジェクト４２０等のインデックス表示を表示する。
【０１６０】
このように、ライブビュー画面３００上でオブジェクト３４０が左方向になぞられた場合には、なぞられた時点（インデックス指示の入力時点）以前に撮像された動画像のうちで、オブジェクト３４０が映っている区間が、インデックス区間として設定される。かかる設定手法は、例えば、所望のオブジェクト３４０の撮像中に、ユーザが、そのオブジェクト３４０の撮像を終了してもよいと思ったときに、念のためもう少し撮像しておく場合に有用である。
【０１６１】
一方、図１６に示すように、動画像の撮像中に、ユーザが、ライブビュー画面３００上の撮像画像３０２に含まれるオブジェクト３４０を指で右方向になぞったときは、撮像装置１０は、タッチパネル４０により、ライブビュー画面３００上のなぞられた位置と、なぞり方向を検出し、なぞられた位置に映っているオブジェクト３４０を認識する。次いで、撮像装置１０は、なぞられた時点以後に撮像する動画像のうち、なぞられた時点（ポイント３２２に相当）から、オブジェクト３４０が映っている区間の終点（ポイント３２６に相当）までの区間を、インデックス区間として設定する。ここで、オブジェクト３４０が映っている区間の終点は、動画像中でオブジェクト３４０が最後に認識されたフレームに対応する。
【０１６２】
図１６の例で、オブジェクト３４０が右方向になぞられた時点では、インデックス区間の終点（ポイント３２６に相当）は未確定であるので、撮像装置１０は、インデックス区間の始点（ポイント３２２に相当）のみを設定する。さらに、なぞられた直後には、撮像装置１０は、ライブビュー画面３００上に、インデックス区間オブジェクト４２０の始点を表すポイント３２２のみを表示し、さらに、撮像時間の経過と共に、インデックス区間オブジェクト４２０を右側に延長表示する。その後、オブジェクト３４０が撮像範囲から外れて、撮像画像３０８中にオブジェクト３４０が映らなくなったときには、撮像装置１０はインデックス区間の終点（ポイント３２６に相当）を設定し、確定したインデックス区間全体を表すインデックス区間オブジェクト４２０を表示する。
【０１６３】
このように、図１６のライブビュー画面３００上で、オブジェクト３４０を右方向になぞってインデックス区間を設定した場合には、録画終了後に表示される図１７に示す録画確認画面４００上で、最終的なインデックス区間を確認できる。図１７のライブビュー画面３００では、上記右方向のなぞり操作により設定されたインデックス区間を表すインデックス区間オブジェクト４２０が表示される。このインデックス区間オブジェクト４２０の左端のポイント４２２は、インデックス区間の始点（インデックス指示入力時点）を表し、右端のポイント４２６は、インデックス区間の終点を表す。
【０１６４】
以上のように、ライブビュー画面３００上でオブジェクト３４０が右方向になぞられたときには、なぞられた時点（インデックス指示の入力時点）以後に撮像された動画像のうちで、オブジェクト３４０が映っている区間が、インデックス区間として設定される。かかる設定手法は、例えば、所望のオブジェクト３４０の撮像中に、そのオブジェクト３４０の盛り上がりシーンが到来した時点で、それ以降のオブジェクト３４０を全て撮像したい場合に有用である。
【０１６５】
［画面をなぞる長さに応じたインデックス区間の設定］
次に、図１８及び図１９を参照して、第３の実施形態に係るライブビュー画面３００において、表示画面に対するなぞり長に応じて、インデックス区間を設定する方法について説明する。図１８は、ライブビュー画面３００上でオブジェクト３４０がなぞられたときの表示例である。図１９は、なぞり長と付加区間の時間長との関係を示す図である。
【０１６６】
図１９に示すように、動画像の撮像中に、ユーザが、ライブビュー画面３００上の撮像画像３０２に含まれるオブジェクト３４０を指で任意の方向（図では右方向）になぞったときは、まず、撮像装置１０は、タッチパネル４０により、ライブビュー画面３００上のなぞられた位置と、なぞり方向を検出する。次いで、撮像装置１０は、ライブビュー画面３００上のなぞられた位置に映っているオブジェクト３４０を認識する。
【０１６７】
次いで、撮像装置１０は、なぞり長に応じて、付加区間（図１８のタイムバー３１０内のチェック部分３１６に相当する。）の時間長を設定する。例えば図１９に示すように、撮像装置１０は、ユーザによる表示画面のなぞり長が長いほど、付加区間の時間長は長くなるように設定する。
【０１６８】
ここで、付加区間は、インデックス指示の入力時点（なぞられた時点）より前の所定時間に撮像された区間であり、インデックス区間に含まれる。この付加区間は、インデックス指示の入力時点の少し前に撮像された画像からなるので、所望のオブジェクト３４０が映っているシーンであるか、盛り上がりシーンの導入部分である可能性が高い。この付加区間をインデックス区間に含めることで、これらの必要なシーンをインデックス区間含めることができる。よって、ユーザによるインデックス指示の入力の遅れを補償できる。しかし、付加区間が必要以上に長すぎると、不要な区間がインデックス区間に含まれてしまうので、適切ではない。
【０１６９】
そこで、ライブビュー画面３００に対するユーザ操作（ジェスチャー）に応じて、付加区間の時間長を適切な時間長に調整するために、撮像装置１０は、ユーザによるなぞり長に応じて、付加区間の時間長を設定する。これにより、ユーザは、なぞり長を変えることで、付加区間の時間長を所望の時間に設定できる。例えば、ユーザは、インデックス指示入力前の付加区間を長くしたければ、なぞり長を長くすればよいし、当該付加区間を短くしたければ、なぞり長を短くすればよい。
【０１７０】
次いで、撮像装置１０は、上記なぞり長に応じて設定された時間長の付加期間を含むインデックス区間を設定する。つまり、撮像装置１０、なぞり長に応じて付加期間の時間長を決定し、ライブビュー画面３００がなぞられた時点（図１８のポイント３２２に相当する。）から当該時間長だけ前の時点を、インデックス区間の始点として設定する。そして、撮像装置１０は、その始点以降に撮像された動画像の区間を、インデックス区間として設定する。このとき、上記付加区間は、なぞられた時点から当該時間長だけ前の時点までの期間に撮像されたフレームからなる。更に、撮像装置１０は、当該付加区間より前にある動画像の先頭の不要区間（図１８のタイムバー３１０内の斜線部分３１４に相当する。）を削除する。
【０１７１】
以上のように、ユーザがライブビュー画面３００上のオブジェクト３４０にタップしてなぞると、撮像装置１０は、既に撮像された動画像のうち、タップ時点からなぞり長に応じた時間長だけ前の付加区間（３１６）をインデックス区間に含め、付加区間より前の不要区間（３１４）を削除する。これにより、ユーザのインデックス指示の入力遅延を補償でき、ユーザにとって必要な区間を適切にインデックス区間に含めることができる。特に、なぞり長に応じて、なぞった時点より前のインデックス区間の時間長（つまり、付加期間の時間長）を自由に調整できる点が有用である。
【０１７２】
なお、なぞり方向は、図１８のような右方向以外にも、左方向など、任意の方向であってよい。また、付加区間の基準となる時点は、上記のようにオブジェクト３４０をなぞった時点（即ち、インデックス指示の入力時点）であってもよいし、オブジェクト３４０を認識した時点であってもよい。
【０１７３】
以上、本実施形態に係る撮像装置１０は、ユーザによる表示画面のなぞり方（タッチパネル４０に対するジェスチャー）に応じて、インデックス区間を設定できる。これにより、ユーザは、表示画面のなぞり方によって、インデックス区間の位置や時間長を指定することができ、所望のインデックス区間を設定することができる。また、ユーザは、表示画面のなぞり方を変えるという簡単な操作で、インデックス区間を自由に設定し、効率的に編集作業を行うことができる。
【０１７４】
＜４．まとめ＞
以上、本開示の好適な実施形態に係る撮像装置１０と画像処理方法について詳細に説明した。本実施形態によれば、ユーザは、動画像の撮像中に１回の操作で、動画像の１時点ではなく、適切な時間長の区間に対して、インデックスを付加できる。これにより、ユーザは、動画像の所望区間に対してインデックスを付加するために、撮像装置１０を複数回操作する必要が無く、簡単な操作でインデックスを付加でき、操作性に優れる。
【０１７５】
また、ユーザは、動画像の録画終了直後に表示される録画確認画面４００において、録画内容を確認しながら、付加したインデックスの始点又は終点を自由に修正できる。従って、より精度の高いインデックスを付加することが可能である。
【０１７６】
また、撮像中のライブビュー画面３００や、録画直後のライブビュー画面３００において、設定されたインデックス区間を、動画像の時間軸と対応付けて表示する。これにより、動画像の撮像中や録画直後のユーザの記憶が鮮明なうちに、動画像のインデックス区間をユーザに対して分かりやすく提示できる。よって、ユーザは、動画像の内容を容易かつ適切に把握でき、インデックス区間の修正や、動画像の編集の要否などを容易に判断できる。
【０１７７】
よって、動画像の撮像中と録画終了直後における撮像者の記憶が鮮明なうちに、動画像の盛り上がりシーンなどの所望の区間に対して、インデックスを高精度で付加しておくことができる。従って、事後的に動画像を再生、編集するときに、ユーザは、インデックス区間を目安として、動画像の再生、編集作業を短時間で効率的に行うことができる。
【０１７８】
また、上記ライブビュー画面３００又は録画確認画面４００上において、簡単なユーザ操作により又は自動的に、撮像された動画像のうち必要部分（インデックス区間）のみを再生したり、不要部分（インデックス区間以外）を削除したりできる。従って、従来よりも効率的に動画像を取り扱うことが可能である。特に、録画された動画像の不要部分を削除する編集作業を、撮像中に自動的に、或いは、録画直後にタッチパネル４０に対する簡単な操作で実現できるので、編集作業を大幅に効率化できる。
【０１７９】
また、上記のように動画像の撮像時又は録画終了時に、撮像した動画像のうち必要な部分のみを記録媒体に記録できるので、記録媒体を無駄に使用せずに、効率的に記録できる。
【０１８０】
さらに、第２の実施形態によれば、インデックス区間の設定にオブジェクト認識を適用することで、ライブビュー画面３００上でオブジェクト３４０を指定するという簡単なユーザ操作によって、所望のオブジェクト３４０が映っている動画像の区間に対して、インデックスを付加できる。従って、ユーザは、撮像後に動画像を再生、編集するときに、所望のオブジェクト３４０が映っている区間とそれ以外の区間を容易に識別できる。
【０１８１】
また、第３の実施形態によれば、タッチパネル４０を用いて、ユーザによるライブビュー画面３００のなぞり方（ジェスチャー）を検出し、このなぞり方に応じて、多様なバリエーションのインデックス区間を設定できる。これにより、ユーザは、簡単な操作によって、所望の区間に対して自由にインデックスを付加できる。
【０１８２】
以上、添付図面を参照しながら本開示の好適な実施形態について詳細に説明したが、本開示はかかる例に限定されない。本開示の属する技術の分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【符号の説明】
【０１８３】
２  ディスク状記録媒体
４  メモリカード
１０  撮像装置
２０  表示パネル
３０  操作部
３０Ｅ  動画撮像用ボタン
３０Ｆ  インデックス用ボタン
４０  タッチパネル
１１０  コントロール回路
１２２  測位部
２００  撮像部
２１０  画像処理部
２２０  記録再生部
２３２  撮像制御部
２３４  表示制御部
２３６  インデックス設定部
２３８  メモリ
２４０  オブジェクト認識部
２４２  機能制御部
３００  ライブビュー画面
３０２  撮像画像
３０６  インデックスアイコン
３１０、４１０  タイムバー
３１２、４１２  スライダ
３２２、３２４、３２６、４２２、４２６  ポイント
３２０、４２０  インデックス区間オブジェクト
３３０、４３０  サムネイル画像
３４０  オブジェクト
３４５  オブジェクトモデル
４００  録画確認画面
４０２  再生画像
４２４  旗マーク
４４０  ＧＵＩボタン
４５０  機能アイコン
４５０Ａ  再生アイコン
４５０Ｂ  レーティングアイコン
４５０Ｃ  削除アイコン
【図１】
0005578262.tif 000002
【図２】
0005578262.tif 000003
【図３】
0005578262.tif 000004
【図４】
0005578262.tif 000005
【図５】
0005578262.tif 000006
【図６Ａ】
0005578262.tif 000007
【図６Ｂ】
0005578262.tif 000008
【図６Ｃ】
0005578262.tif 000009
【図７】
0005578262.tif 000010
【図８】
0005578262.tif 000011
【図９】
0005578262.tif 000012
【図１０】
0005578262.tif 000013
【図１１Ａ】
0005578262.tif 000014
【図１１Ｂ】
0005578262.tif 000015
【図１２】
0005578262.tif 000016
【図１３】
0005578262.tif 000017
【図１４】
0005578262.tif 000018
【図１５】
0005578262.tif 000019
【図１６】
0005578262.tif 000020
【図１７】
0005578262.tif 000021
【図１８】
0005578262.tif 000022
【図１９】
0005578262.tif 000023